(57)【要約】【課題】冷却対象の品質を保持しつつ、電力消費の増大を抑制することができる冷凍システムを提供する。【解決手段】集中管理制御装置３００と、１又は複数の熱源機１００と、１又は複数のクーラー２００とが互いに通信する冷凍システム１であって、クーラー２００を制御するコントローラーを備え、コントローラーは、予め設定された使用条件に基づいてクーラー２００を運転するベーススケジュールを予め保持し、その使用条件と比べて低消費電力でクーラー２００を運転する運転スケジュールを集中管理制御装置３００から取得した場合、運転スケジュールに基づいてクーラー２００を運転し、運転スケジュールを集中管理制御装置３００から取得しなかった場合、ベーススケジュールに基づいてクーラー２００を運転する。【選択図】図１
2014081109.tif 000002
【特許請求の範囲】
【請求項１】
集中管理制御装置と、１又は複数の熱源機と、１又は複数のクーラーとが互いに通信する冷凍システムであって、
前記クーラーを制御するコントローラーを備え、
前記コントローラーは、
予め設定された使用条件に基づいて前記クーラーを運転するベーススケジュールを予め保持し、
前記使用条件と比べて低消費電力で前記クーラーを運転する運転スケジュールを前記集中管理制御装置から取得した場合、該運転スケジュールに基づいて前記クーラーを運転し、
前記運転スケジュールを前記集中管理制御装置から取得しなかった場合、前記ベーススケジュールに基づいて前記クーラーを運転する
ことを特徴とする冷凍システム。
【請求項２】
前記コントローラーは、
前記運転スケジュールを取得した日から次の日となった場合、該運転スケジュールで運転を行う
ことを特徴とする請求項１に記載の冷凍システム。
【請求項３】
前記コントローラーは、
前記運転スケジュールのデータ内容の正当性を判定するデータ内容正当性条件が設定され、
前記運転スケジュールを取得した日から次の日であって、該運転スケジュールの前記データ内容が前記データ内容正当性条件に該当しない場合、前記ベーススケジュールで運転を行う
ことを特徴とする請求項２に記載の冷凍システム。
【請求項４】
前記データ内容正当性条件として、前記運転スケジュールのデータ転送総数が設定され、
前記コントローラーは、
前記データ転送総数が不足している場合、前記データ内容正当性条件に該当しないと判定する
ことを特徴とする請求項３に記載の冷凍システム。
【請求項５】
前記データ内容正当性条件として、前記運転スケジュールの運転予定日が設定され、
前記コントローラーは、
前記運転予定日が前記次の日に該当しない場合、前記データ内容正当性条件に該当しないと判定する
ことを特徴とする請求項３に記載の冷凍システム。
【請求項６】
前記コントローラーは、
前記運転スケジュールで運転中、冷却対象物の周囲環境の温度が予め定めた閾値を超えた場合、該運転スケジュールから前記ベーススケジュールに切り換える
ことを特徴とする請求項４又は５に記載の冷凍システム。
【請求項７】
前記コントローラーは、
予め設定された第１の目標温度に基づいて前記クーラーを冷却する前記ベーススケジュールを予め保持し、
前記第１の目標温度と比べて高い第２の目標温度に基づいて前記クーラーを冷却する前記運転スケジュールを前記集中管理制御装置から予め定めた周期で取得し、
前記運転スケジュール及び前記ベーススケジュールに基づいて、前記第１の目標温度及び前記第２の目標温度を制御する
ことを特徴とする請求項６に記載の冷凍システム。
【請求項８】
前記コントローラーは、
予め設定された第１の霜取運転時間に基づいて前記クーラーの霜取りを行う前記ベーススケジュールを予め保持し、
前記第１の霜取運転時間と比べて少ない第２の霜取運転時間に基づいて前記クーラーの霜取りを行う前記運転スケジュールを前記集中管理制御装置から予め定めた周期で取得し、
前記運転スケジュール及び前記ベーススケジュールに基づいて、前記クーラーを制御する
ことを特徴とする請求項６に記載の冷凍システム。
【請求項９】
前記コントローラーは、
予め設定された複数の冷却時間間隔では第３の目標温度に基づいて前記クーラーを冷却する前記ベーススケジュールを予め保持し、
前記冷却時間間隔と比べて短くし、又は、前記複数の冷却時間間隔と比べて回数を少なくし、前記第３の目標温度と比べて高い第４の目標温度に基づいて前記クーラーを冷却する前記運転スケジュールを前記集中管理制御装置から予め定めた周期で取得し、
前記運転スケジュール及び前記ベーススケジュールに基づいて、前記第３の目標温度及び前記第４の目標温度を制御する
ことを特徴とする請求項６に記載の冷凍システム。
【請求項１０】
前記コントローラーは、
予め設定された複数の霜取時間間隔で前記クーラーの霜取りを行う前記ベーススケジュールを予め保持し、
前記霜取時間間隔と比べて短くし、又は、前記複数の霜取時間間隔と比べて回数を少なくして前記クーラーの霜取りを行う前記運転スケジュールを前記集中管理制御装置から予め定めた周期で取得し、
前記運転スケジュール及び前記ベーススケジュールに基づいて、前記クーラーを制御する
ことを特徴とする請求項６に記載の冷凍システム。
【請求項１１】
前記コントローラーは、
実稼働分の実霜取運転時間と、該実霜取運転時間の日付けデータとの組から形成される実運転データを保持し、該実運転データを前記集中管理制御装置に送信し、
前記集中管理制御装置は、
前記実運転データを受信し、該実運転データに基づいて、前記日付けデータの次の日の前記運転スケジュールを作成する
ことを特徴とする請求項７〜１０の何れか一項に記載の冷凍システム。
【請求項１２】
前記集中管理制御装置は、
前記実霜取運転時間と、予め設定した予定霜取運転時間と比較して、該実霜取運転時間が短い場合、該予定霜取運転時間と対として予め設定した予定霜取運転周期を、前記実霜取運転時間と前記予定霜取運転時間との差分だけ長く設定する
ことを特徴とする請求項１１に記載の冷凍システム。
【請求項１３】
前記集中管理制御装置は、
前記実霜取運転時間と、前記予定霜取運転時間と比較して、該実霜取運転時間が長い場合、該予定霜取運転時間と対の前記予定霜取運転周期を、前記実霜取運転時間と前記予定霜取運転時間との差分だけ短く設定する
ことを特徴とする請求項１１に記載の冷凍システム。
【請求項１４】
前記コントローラーは、
前記集中管理制御装置が作成する運転スケジュールに対応した識別情報と、該識別情報に対応する運転内容とを保持し、
前記集中管理制御装置から前記識別情報を受信した場合、該識別情報に対応する前記運転内容に基づいて前記クーラーを制御する
ことを特徴とする請求項１２又は１３に記載の冷凍システム。
【請求項１５】
前記コントローラーは、
前記識別情報として、制御スケジュールパターン識別情報及び霜取スケジュールパターン識別情報を保持し、
前記運転内容として、前記制御スケジュールパターン識別情報に対応する運転モードを保持し、
前記運転内容として、前記霜取スケジュールパターン識別情報に対応する霜取制御内容を保持し、
前記運転モード又は前記霜取制御内容に基づいて前記クーラーを制御する
ことを特徴とする請求項１４に記載の冷凍システム。
【請求項１６】
前記集中管理制御装置は、
前記コントローラーとの通信シーケンスが完了しない場合、該通信シーケンスを未完了通信シーケンスとして保留にし、
該未完了通信シーケンスとは異なる前記コントローラーとの通信シーケンスを優先して実行する
ことを特徴とする請求項１５に記載の冷凍システム。
【請求項１７】
前記集中管理制御装置は、
前記識別情報の送信先が予め定めた順番で格納されている運転スケジュール送信先記憶部と、
前記未完了通信シーケンスの未完識別子を順番に格納していく保留記憶部と
を備え、
前記クーラー側コントローラー及び前記熱源機側コントローラーの何れかへ、前記識別情報を転送する第１通信シーケンスを実行中であって、該第１通信シーケンスが完了しない場合、前記未完了通信シーケンスとして前記未完識別子を前記保留記憶部に格納し、前記送信先から次の送信先を選択し、前記第１通信シーケンスとは異なる前記クーラー側コントローラー及び前記熱源機側コントローラーの何れかへ前記識別情報を転送する第２通信シーケンスを実行し、
該第２通信シーケンスが完了した場合、前記保留記憶部に格納されている前記未完識別子に基づいて前記第１通信シーケンスを再開する
ことを特徴とする請求項１６に記載の冷凍システム。
【請求項１８】
前記集中管理制御装置は、
外気温度、湿度、前記クーラー内の冷却対象の在庫数、前記冷却対象の追加投入予定数、及び前記在庫数の減少予定数を条件項目として設定する集中管理制御装置側設定手段を備え、
前記条件項目に基づいて、前記運転スケジュールを自動作成する
ことを特徴とする請求項１７に記載の冷凍システム。
【請求項１９】
前記コントローラーは、
前記識別情報と、該識別情報に対応する前記運転内容と、前記ベーススケジュールとを設定するクーラー側設定手段と、
前記運転内容を表示するクーラー側表示手段と
を備えたことを特徴とする請求項１７に記載の冷凍システム。
【発明の詳細な説明】
【技術分野】
【０００１】
本発明は、冷凍システムに関する。
【背景技術】
【０００２】
従来の冷凍システムの中には、集中管理コントローラーと、複数のショーケースとを備え、集中管理コントローラーから各ショーケースに制御指令があった場合、各ショーケースは、受信した制御指令に基づいて運転スケジュールを設定し、温度制御又は霜取り制御を行っているものがあった（例えば、特許文献１参照）。
【０００３】
また、従来の冷凍システムの中には、ショーケースがショーケース制御装置を内蔵しており、ショーケース制御装置で設定された運転スケジュールに基づいて、ショーケースの温度が制御されているものがあった（例えば、特許文献２参照）。
【先行技術文献】
【特許文献】
【０００４】
【特許文献１】特開２００９−２３６３４２号公報（段落［００３３］）
【特許文献２】特許第３４９８２３９号公報（段落［００２２］）
【発明の概要】
【発明が解決しようとする課題】
【０００５】
よって、従来の冷凍システム（特許文献１）は、受信した制御指令が省エネ用運転スケジュールの場合、冷却対象を過度に冷却することなく適度に冷却しつつ、電力消費の増大を抑制していた。
しかしながら、従来の冷凍システム（特許文献１）は、ショーケースが制御指令を受信しない場合、そのショーケースは制御不能となるため、冷却対象を冷却できず、冷却対象の品質を保持することができなかった。
【０００６】
また、従来の冷凍システム（特許文献２）は、ショーケース制御装置で設定された運転スケジュールに基づいて冷却対象の品質を保持していた。
しかしながら、従来の冷凍システム（特許文献２）は、運用開始後、省エネ用運転スケジュールに運転スケジュールの設定を容易に変更することができなかったため、冷却対象の品質を保持するが、電力消費の増大を抑制することができなかった。
よって、従来の冷凍システム（特許文献２）は、運用開始後、運転スケジュールを容易に変更し、電力消費の増大を抑制することができなかった。
【０００７】
この結果、制御指令を受信しない場合であっても冷却対象の品質を保持し、運用開始後であっても運転スケジュールの設定を容易に変更して電力消費の増大を抑制することができないという問題点があった。
【０００８】
本発明は、上記のような問題点を解決するためになされたもので、制御指令を受信しない場合であっても冷却対象の品質を保持しつつ、運用開始後であっても運転スケジュールの設定を容易に変更して電力消費の増大を抑制することができる冷凍システムを提供することを目的とするものである。
【課題を解決するための手段】
【０００９】
本発明の冷凍システムは、集中管理制御装置と、１又は複数の熱源機と、１又は複数のクーラーとが互いに通信する冷凍システムであって、前記クーラーを制御するコントローラーを備え、前記コントローラーは、予め設定された使用条件に基づいて前記クーラーを運転するベーススケジュールを予め保持し、前記使用条件と比べて低消費電力で前記クーラーを運転する運転スケジュールを前記集中管理制御装置から取得した場合、該運転スケジュールに基づいて前記クーラーを運転し、前記運転スケジュールを前記集中管理制御装置から取得しなかった場合、前記ベーススケジュールに基づいて前記クーラーを運転するものである。
【発明の効果】
【００１０】
本発明は、制御指令を受信した場合、運転スケジュールを変更して電力消費を抑制する。一方、本発明は、制御指令を受信しない場合、予め設定されたベーススケジュールで冷却対象を冷却し、冷却対象の品質を保持する。したがって、本発明は、冷却対象の品質を保持しつつ、全体として電力消費の増大を抑制できるという効果を有する。
【図面の簡単な説明】
【００１１】
【図１】本発明の実施の形態１における冷凍システム１の概略構成を示す図である。
【図２】本発明の実施の形態１における冷媒回路８０１の一例を示す図である。
【図３】本発明の実施の形態１における集中管理制御装置３００の機能構成の一例を示す図である。
【図４】本発明の実施の形態１における熱源機１００の機能構成の一例を示す図である。
【図５】本発明の実施の形態１におけるクーラー側コントローラー２１０の機能構成の一例を示す図である。
【図６】本発明の実施の形態１における集中管理制御装置３００での制御スケジュールの設定画面の一例を示す図である。
【図７】本発明の実施の形態１における集中管理制御装置３００での霜取スケジュールの設定画面の一例を示す図である。
【図８】本発明の実施の形態１における制御スケジュールと霜取スケジュールとに基づいた運転スケジュールの一例を示す図である。
【図９】本発明の実施の形態１における運転スケジュール上に運転命令及び停止命令を可視化させた場合の一例を示す図である。
【図１０】本発明の実施の形態１における運転スケジュールの設定手順の一例を示す図である。
【図１１】本発明の実施の形態１における運転スケジュール記憶部３２３及び運転スケジュール記憶部２２３の内部状態の一例を示す図である。
【図１２】本発明の実施の形態１における運転スケジュール記憶部３２３及び運転スケジュール記憶部２２３の内部状態の第１の遷移例を示す図である。
【図１３】本発明の実施の形態１における運転スケジュール記憶部３２３及び運転スケジュール記憶部２２３の内部状態の第２の遷移例を示す図である。
【図１４】本発明の実施の形態１における運転スケジュール記憶部３２３及び運転スケジュール記憶部２２３の内部状態の第３の遷移例を示す図である。
【図１５】本発明の実施の形態１における運転スケジュール記憶部３２３及び運転スケジュール記憶部２２３の内部状態の第４の遷移例を示す図である。
【図１６】本発明の実施の形態１における運転スケジュール記憶部３２３及び運転スケジュール記憶部２２３の内部状態の第５の遷移例を示す図である。
【図１７】本発明の実施の形態１における運転スケジュールとしてベーススケジュールが採用される設定手順の一例を示す図である。
【図１８】本発明の実施の形態１における通信が途絶えた場合に運転スケジュールとしてベーススケジュールが採用される設定手順の一例を示す図である。
【図１９】本発明の実施の形態１における集中管理制御装置３００とクーラー側コントローラー２１０との通信シーケンスの一例を説明する図である。
【図２０】本発明の実施の形態１における集中管理制御装置３００とクーラー側コントローラー２１０との通信シーケンスのうち、スケジュールデータ転送「開始」問い合わせ時の詳細例を説明する図である。
【図２１】本発明の実施の形態１における集中管理制御装置３００とクーラー側コントローラー２１０との通信シーケンスのうち、スケジュールデータ転送時の詳細例を説明する図である。
【図２２】本発明の実施の形態１における集中管理制御装置３００とクーラー側コントローラー２１０との通信シーケンスのうち、スケジュールデータ転送「正常受信結果」問い合わせ時の詳細例を説明する図である。
【図２３】本発明の実施の形態１における集中管理制御装置３００とクーラー側コントローラー２１０との通信シーケンスのうち、スケジュールデータ「当日データのクリア」指令時の詳細例を説明する図である。
【図２４】本発明の実施の形態１における集中管理制御装置３００の動作を説明するフローチャートである。
【図２５】本発明の実施の形態１における集中管理制御装置３００が対象のクーラー側コントローラー２１０を切り換える過程の一例を説明する図である。
【図２６】本発明の実施の形態１におけるクーラー側コントローラー２１０のスケジュール受信時の動作を説明するフローチャートである。
【図２７】本発明の実施の形態１におけるクーラー側コントローラー２１０のスケジュール選択時の動作を説明するフローチャートである。
【図２８】本発明の実施の形態１における集中管理制御装置３００の作成スケジュール修正時の動作を説明するフローチャートである。
【図２９】本発明の実施の形態１におけるクーラー側設定手段２１４とクーラー側表示手段２１５との間で実行される各種データ処理の一例を示す図である。
【図３０】本発明の実施の形態１における熱源機側設定手段１１４と熱源機側表示手段１１５との間で実行される各種データ処理の一例を示す図である。
【発明を実施するための形態】
【００１２】
以下、本発明の実施の形態について、図面を用いて詳細に説明する。
【００１３】
実施の形態１．
図１は、本発明の実施の形態１における冷凍システム１の概略構成を示す図である。冷凍システム１は、例えば、フォークリフト等が移動可能な規模の倉庫（図示せず）の冷却に用いられる。そのような倉庫には、例えば、複数の部屋が形成され、各部屋ごとに冷却温度の異なる冷却対象物等が保管される。詳細については後述するが、冷凍システム１は、通信の上位側として、集中管理制御装置３００、通信の下位側として、熱源機１００Ａ及びクーラー２００Ａ並びに熱源機１００Ｂ及びクーラー２００Ｂ等を備え、上位側の集中管理制御装置３００が下位側の冷却のスケジュールを調整したり、下位側の熱源機１００Ａ、熱源機１００Ｂ、クーラー２００Ａ、及びクーラー２００Ｂが各々自機に予め設定されたスケジュールに基づいて、クーラー２００Ａ及びクーラー２００Ｂ等の冷却運転を行ったりする。
【００１４】
なお、以後の説明では、冷凍システム１が設けられる倉庫の規模は、フォークリフト等が移動可能なものを想定するが、特にこれに限定するものではなく、上位側の機器と、下位側の機器とで、各種データ等が送受信され、上位側の機器と、下位側の機器とが連携することで冷却運転が行われるものであればよい。
【００１５】
冷凍システム１の通信形態の一例について説明する。集中管理制御装置３００は、第１伝送線５００を介して、熱源機１００Ａと、熱源機１００Ｂと接続されている。集中管理制御装置３００、熱源機１００Ａ、及び熱源機１００Ｂは、予め定められた通信プロトコルに基づいて互いに各種データの送受信を行う。また、熱源機１００Ａは、第２伝送線６００Ａを介して、クーラー側コントローラー２１０Ａと接続されている。熱源機１００Ａ及びクーラー側コントローラー２１０Ａは、予め定めた通信プロトコルに基づいて互いに各種データの送受信を行う。また、熱源機１００Ｂは、第２伝送線６００Ｂを介して、クーラー側コントローラー２１０Ｂと接続されている。熱源機１００Ｂ及びクーラー側コントローラー２１０Ｂは、予め定められた通信プロトコルに基づいて互いに各種データの送受信を行う。
【００１６】
第１伝送線５００は、集中管理制御装置３００と、熱源機１００Ａと、熱源機１００Ｂとの間の各種データの送受信を中継する通信媒体である。第１伝送線５００は、例えば、多重伝送線で形成され、同時に複数の信号の送受信が可能な構成である。
なお、上記の説明では、第１伝送線５００は、物理的に多重伝送線が形成され、空間分割多重化されたものとして説明したが、特にこれに限定しない。例えば、第１伝送線５００は、周波数分割多重化、時分割多重化、及び符号分割多重化の何れかの多重化通信であってもよい。
また、第１伝送線５００は、専用ネットワークであっても、オープンネットワークであっても通信プロトコルについては特に限定しない。
また、図１においては、バス型接続でネットワークが構築されている一例について示したが、特にこれに限定しない。スター型接続であっても、リング型接続であっても、その他の接続であってもよい。
【００１７】
第２伝送線６００Ａは、熱源機１００Ａと、クーラー側コントローラー２１０Ａとの間の各種データの送受信を中継する通信媒体である。第２伝送線６００Ａは、例えば、多重伝送線で形成され、同時に複数の信号の送受信が可能な構成である。
なお、上記の説明では、第１伝送線５００Ａは、物理的に多重伝送線が形成され、空間分割多重化されたものとして説明したが、特にこれに限定しない。例えば、第２伝送線６００Ａは、周波数分割多重化、時分割多重化、及び符号分割多重化の何れかの多重化通信であってもよい。
また、第２伝送線６００Ａは、専用ネットワークであっても、オープンネットワークであっても通信プロトコルについては特に限定しない。
【００１８】
集中管理制御装置３００は、集中管理制御装置側コントローラー３１０を備え、下位側の熱源機１００Ａ等に対し、第１伝送線５００を介して、各種データ、例えば、運転スケジュールを送信する。集中管理制御装置側コントローラー３１０は、詳細については図３を用いて後述するが、予め設定された各種条件に基づいて運転スケジュールの作成を行ったり、熱源機１００Ａ等から取得する実運転データに基づいて運転スケジュールの修正を行ったりする。
【００１９】
熱源機１００Ａは、冷媒配管７００Ａを介して、クーラー２００Ａと接続されている。また、熱源機１００Ａは、第２伝送線６００Ａを介して、クーラー側コントローラー２１０Ａと接続されている。また、熱源機１００Ａは、熱源機側コントローラー１１０Ａを備える。熱源機側コントローラー１１０Ａは、詳細については図４を用いて後述するが、集中管理制御装置３００が作成した運転スケジュール、熱源機側コントローラー１１０Ａ側に予め設定されたベーススケジュール、及びクーラー側コントローラー２１０Ａに予め設定されたベーススケジュールの何れかに基づいて冷却運転を行う。
【００２０】
熱源機１００Ａは、中継装置１０５Ａ、例えば、スイッチングハブを備える。スイッチングハブは、第１伝送線５００と、第２伝送線６００Ａとを接続し、集中管理制御装置３００と、クーラー側コントローラー２１０Ａとの直接的な通信を可能にしている。
なお、上記の説明では、中継装置１０５Ａがスイッチングハブである一例について説明したが、特にこれに限定しない。中継装置１０５Ａは、レイヤー２スイッチ、レイヤー３スイッチ、及びルーター等であってもよい。要するに、集中管理制御装置３００と、クーラー側コントローラー２１０Ａとで通信が可能であればよい。
【００２１】
クーラー側コントローラー２１０Ａは、任意の通信媒体を介してリモートコントローラー４００Ａと接続されている。クーラー側コントローラー２１０Ａは、詳細については図５を用いて後述するが、集中管理制御装置３００が作成した運転スケジュール、熱源機側コントローラー１１０Ａ側に予め設定されたベーススケジュール、及びクーラー側コントローラー２１０Ａに予め設定されたベーススケジュールの何れかに基づいて冷却運転を行う。
【００２２】
リモートコントローラー４００Ａは、ユーザーと、クーラー側コントローラー２１０Ａとの間のインターフェースであり、各種条件等の設定が可能である。リモートコントローラー４００Ａには、例えば、温度、風向き、及び風量等の冷却運転の設定パラメータ等が入力される。リモートコントローラー４００Ａは、入力された冷却運転の各種設定パラメータ等に基づいた制御指令を任意の通信媒体を介してクーラー側コントローラー２１０Ａに供給する。
なお、リモートコントローラー４００Ａの各種設定パラメータ等の入力手段としては特に限定しない。例えば、リモートコントローラー４００Ａには、液晶ディスプレイ及びタッチパネルが階層上に設けられ、液晶ディスプレイ上に表示されるアイコン等の操作子がタッチパネルを介して操作されることで、ユーザーからの指令が設定されてもよい。また、例えば、リモートコントローラー４００Ａには、各種ボタンが設けられ、各種ボタンが押下されることで、ユーザーからの指令が設定されてもよい。
【００２３】
なお、熱源機１００Ｂについては、熱源機１００Ａと同様の機能構成であるため、その説明については省略する。また、クーラー側コントローラー２１０Ｂについても、クーラー側コントローラー２１０Ａと同様の機能構成であるため、その説明については省略する。また、リモートコントローラー４００Ｂについても、リモートコントローラー４００Ａと同様の機能構成であるため、その説明については省略する。
【００２４】
なお、熱源機１００Ａ又は熱源機１００Ｂというような熱源機の区別を特にしない場合、熱源機１００と称する。また、クーラー２００Ａ又はクーラー２００Ｂというようなクーラーの区別を特にしない場合、クーラー２００と称する。また、クーラー側コントローラー２１０Ａ又はクーラー側コントローラー２１０Ｂというようなクーラー側コントローラーの区別を特にしない場合、クーラー側コントローラー２１０と称する。また、リモートコントローラー４００Ａ又はリモートコントローラー４００Ｂというようなリモートコントローラーの区別を特にしない場合、リモートコントローラー４００と称する。また、第２伝送線６００Ａ又は第２伝送線６００Ｂというような第２伝送線の区別を特にしない場合、第２伝送線６００と称する。また、冷媒配管７００Ａ又は冷媒配管７００Ｂというような冷媒配管の区別を特にしない場合、冷媒配管７００と称する。また、中継装置１０５Ａ又は中継装置１０５Ｂというような中継装置の区別を特にしない場合、中継装置１０５と称する。
【００２５】
なお、上記の説明では、熱源機１００Ａと、熱源機１００Ｂとが、集中管理制御装置３００に接続されている一例について説明したが、特にこれに限定しない。例えば、熱源機１００Ａ及び熱源機１００Ｂの他に別の熱源機１００が複数接続されるものであってもよい。また、上記の説明では、１台の熱源機１００に対して、１台のクーラー２００と、１台のクーラー側コントローラー２１０とが接続され、１台のクーラー側コントローラー２１０に対して１台のリモートコントローラー４００とが接続されている一例について説明したが、特にこれに限定しない。例えば、１台の熱源機１００に対して、複数のクーラー２００が接続されていてもよい。また、１台のクーラー２００に対して、複数のクーラー側コントローラー２１０が接続されていてもよい。また、１台のクーラー側コントローラー２１０に対して、複数のクーラー２００が接続されていてもよい。また、１台のクーラー側コントローラー２１０に対し、複数のリモートコントローラー４００が接続されていてもよい。また、１台のリモートコントローラー４００に対して、複数のクーラー側コントローラー２１０が接続されていてもよい。要するに、上記で説明した各種接続関係は一例を示すだけであり、特に限定せず、冷凍システム１が設置される環境又は使用条件に応じて適宜可変なものである。
【００２６】
なお、クーラー側コントローラー２１０と、リモートコントローラー４００との間の通信媒体は特に限定しない。例えば、通信媒体は有線であっても無線であってもよい。また、クーラー側コントローラー２１０と、熱源機１００との間の通信媒体、クーラー側コントローラー２１０と、クーラー２００との間の通信媒体、集中管理制御装置３００と、熱源機１００との間の通信媒体、及び熱源機１００同士の通信媒体についても特に限定せず、有線であっても無線であってもよい。
【００２７】
要するに、上記の説明は、通信形態の一例を示すだけであり、接続台数や通信媒体は特に限定するものではなく、互いに相互通信が行われるものであればよい。なお、熱源機１００と、クーラー２００とは、図２を用いて詳述するように、冷媒配管７００を介して冷媒回路８０１が形成され、例えば、ヒートポンプ式の冷却運転が行われる。
【００２８】
図２は、本発明の実施の形態１における冷媒回路８０１の一例を示す図である。図２に示すように、熱源機１００及びクーラー２００は、蒸気圧縮式の冷凍サイクル運転を行うことで、図示しない倉庫内部の冷却等に使用される装置である。
【００２９】
まず、クーラー２００について説明する。クーラー２００は、倉庫内に設けられた各部屋等に設置される。クーラー２００は、冷媒配管７００、具体的には、ガス接続配管７２１及び液接続配管７２２を介して熱源機１００に接続され、冷媒回路８０１の一部を構成する。クーラー２００は、利用側熱交換器として機能する室内熱交換器８３１と、室内ファン８３２と、室内ファン駆動部８３３とを備える。また、クーラー２００は、ヒーター８３４を備える。
【００３０】
室内熱交換器８３１は、冷却運転時には冷媒の蒸発器として機能することで倉庫内の各部屋にある空気を冷却する。室内熱交換器８３１は、例えば、伝熱管と多数のフィンとを備えるクロスフィン式のフィン・アンド・チューブ型熱交換器で構成するとよい。なお、倉庫内の各部屋を加熱する場合には、室内熱交換器８３１は、冷媒の凝縮器として機能することで倉庫内の各部屋にある空気を加熱すればよい。
【００３１】
室内ファン８３２は、クーラー２００内に倉庫内の各部屋にある空気を吸入し、室内熱交換器８３１で、吸入した空気と冷媒との間で熱交換した空気を供給空気として倉庫内の各部屋に供給する。室内ファン８３２は、室内熱交換器８３１に付設され、室内熱交換器８３１に供給する空気の流量を可変することが可能なファン、例えば、ＤＣファンモーター等の電動機から構成される。室内ファン駆動部８３３は、ＤＣファンモーターの回転数を制御することで、室内ファン８３２の風量を増減する。
【００３２】
ヒーター８３４は、例えば、電熱線から形成される。ヒーター８３４は、図示しない電熱線に通電を行うことで、室内熱交換器８３１に付着した霜を溶かして除去する。なお、上記の説明ではヒーター８３４を用いた霜取り動作について説明したが、特にこれに限定しない。例えば、後述する四方弁８４３を切り換え、後述する圧縮機８４２から吐出された高温高圧の冷媒を供給し、室内熱交換器８３１を冷媒の凝縮器として機能することで、霜取り動作を行ってもよい。要するに、室内熱交換器８３１の霜取り動作が行われ、室内熱交換器８３１に霜が大量に付着して冷却性能が低下することで冷却対象物の温度が上がることを防止できればよく、その霜取り方法については特に限定しない。
【００３３】
次に、熱源機１００について説明する。熱源機１００は、倉庫の外側に設置される。熱源機１００は、冷媒配管７００、具体的には、ガス接続配管７２１及び液接続配管７２２を介してクーラー２００に接続されて冷媒回路の一部を構成する。熱源機１００は、絞り装置８４１と、圧縮機８４２と、四方弁８４３と、熱源側熱交換器として機能する室外熱交換器８４４と、室外ファン８４５と、室外ファン駆動部８４６とを備え、冷媒配管を介して接続される。
【００３４】
絞り装置８４１は、高圧状態の冷媒を減圧して低圧状態にする。例えば、絞り装置８４１は、開度が可変に制御可能な電子式膨張弁等で構成される。
【００３５】
圧縮機８４２は、運転容量を可変にすることが可能であり、例えば、インバーターで運転周波数が制御されるＤＣブラシレスモーター等の電動機で駆動される容積式圧縮機から構成される。圧縮機８４２は、熱源機側コントローラー１１０で制御され、例えば、室内熱交換器８３１に設置されたセンサ（図示せず）で検知される温度と、リモートコントローラー４００の設定温度との偏差に応じて制御される。
【００３６】
四方弁８４３は、冷却運転や加熱運転に応じて冷媒の流れの方向を切り換える弁で構成され、冷媒流路を切り換える。
四方弁８４３は、冷却運転時には、図２の四方弁８４３内部の実線で示すように、圧縮機８４２の吐出側と室外熱交換器８４４のガス側とを接続すると共に、圧縮機８４２の吸入側とガス接続配管７２１側とを接続する。この接続構成で、四方弁８４３は、室外熱交換器８４４を圧縮機８４２で圧縮される冷媒の凝縮器として機能させ、室内熱交換器８３１を室外熱交換器８４４で凝縮される冷媒の蒸発器として機能させる。
四方弁８４３は、加熱運転時には、図２の四方弁８４３内部の破線で示すように、圧縮機８４２の吐出側とガス接続配管７２１側とを接続すると共に、圧縮機８４２の吸入側と室外熱交換器８４４のガス側とを接続する。この接続構成で、四方弁８４３は、室内熱交換器８３１を圧縮機８４２で圧縮される冷媒の凝縮器として機能させ、室外熱交換器８４４を室内熱交換器８３１で凝縮される冷媒の蒸発器として機能させる。
【００３７】
室外熱交換器８４４は、冷却運転時には冷媒の凝縮器として機能し、加熱運転時には冷媒の蒸発器として機能する。室外熱交換器８４４は、例えば、伝熱管と多数のフィンとを備えるクロスフィン式のフィン・アンド・チューブ型熱交換器から構成される。室外熱交換器８４４は、室外熱交換器８４４のガス側が冷媒配管を介して四方弁８４３に接続され、室外熱交換器８４４の液側が冷媒配管を介して絞り装置８４１に接続される。
【００３８】
室外熱交換器８４４の近傍には、室外ファン８４５が付設される。室外ファン８４５は、熱源機１００内に倉庫外の空気を吸入し、室外熱交換器８４４で、倉庫外の空気と冷媒との間で熱交換した空気を室外に排出する。室外ファン８４５は、室外熱交換器８４４に供給する空気の流量を可変することが可能なファン、例えば、ＤＣファンモーター等の電動機から構成される室外ファン駆動部８４６で駆動される遠心ファン又は多翼ファン等から構成される。
【００３９】
なお、クーラー側コントローラー２１０は、室内ファン駆動部８３３の駆動及びヒーター８３４の電熱線の通電状態を制御する。熱源機側コントローラー１１０は、絞り装置８４１、圧縮機８４２、四方弁８４３、及び室外ファン駆動部８４６の駆動を制御する。クーラー側コントローラー２１０と、熱源機側コントローラー１１０とは、各種制御指令等が送受信される。
また、リモートコントローラー４００は、クーラー側コントローラー２１０に制御指令を供給し、クーラー側コントローラー２１０を介して、熱源機１００及びクーラー２００の動作を変更させる。
【００４０】
上記で説明したように、クーラー側コントローラー２１０は、クーラー２００を制御し、熱源機側コントローラー１１０は、熱源機１００を制御し、リモートコントローラー４００は、クーラー側コントローラー２１０に制御指令を送信することで、クーラー２００の設定を変更する。クーラー側コントローラー２１０及び熱源機側コントローラー１１０は、図１で概略について説明した集中管理制御装置３００から供給される運転スケジュールに基づいて冷却動作等を行ったり、各自機に設定されているベーススケジュールに基づいて冷却動作等を行ったりする。
次に、上記で説明した各種制御を行う各機器、具体的には、集中管理制御装置３００、熱源機１００、及びクーラー側コントローラー２１０の機能構成の詳細について、図３〜５を用いて順に説明する。
【００４１】
図３は、本発明の実施の形態１における集中管理制御装置３００の機能構成の一例を示す図である。図３に示すように、集中管理制御装置３００は、集中管理制御装置側コントローラー３１０を備える。集中管理制御装置側コントローラー３１０は、集中管理制御装置全体を統括制御するものであり、集中管理制御装置側制御手段３１１、集中管理制御装置側通信手段３１２、集中管理制御装置側記憶手段３１３、集中管理制御装置側設定手段３１４、集中管理制御装置側表示手段３１５、及び時計手段３１６を備える。
【００４２】
集中管理制御装置側制御手段３１１は、マイクロプロセッサユニットを主体として構成され、集中管理制御装置側通信手段３１２、集中管理制御装置側記憶手段３１３、集中管理制御装置側設定手段３１４、集中管理制御装置側表示手段３１５、及び時計手段３１６を統括管理する。
【００４３】
集中管理制御装置側通信手段３１２は、第１伝送線５００を介して、下位側の機器、例えば、熱源機１００及びクーラー側コントローラー２１０等との間で、運転スケジュール及び各種制御指令等の各種信号を通信する通信インターフェースである。集中管理制御装置側通信手段３１２は、集中管理制御装置側制御手段３１１からの指令に基づいて、各種信号を下位側の機器との通信の取り決めが定められた通信プロトコルに準拠した通信データに変換し、変換した通信データを第１伝送線５００を介して下位側の機器に供給する。
【００４４】
集中管理制御装置側記憶手段３１３は、集中管理制御装置３００が管理する各種データを格納するものであり、例えば、運転スケジュール記憶部３２３、運転スケジュール送信先記憶部３２５、及び保留記憶部３２６を備える。
【００４５】
運転スケジュール記憶部３２３は、下位側の機器に供給する運転スケジュールを格納するものである。
運転スケジュール送信先記憶部３２５は、集中管理制御装置３００が供給する運転スケジュールの送信先に送信順位を紐付けさせたものである。つまり、運転スケジュール送信先記憶部３２５には、運転スケジュールの送信先が予め定めた順番で格納されている。よって、集中管理制御装置３００は、運転スケジュール送信先記憶部３２５に格納されている運転スケジュールの送信先の送信順位を参照することで、複数の送信先の中から順番に運転スケジュールの送信先を選択して送信する。
保留記憶部３２６は、運転スケジュールを送信中に送信先へ送信が完了しなかった場合に、送信先と、送信内容とを保留するものである。つまり、保留記憶部３２６には、集中管理制御装置３００と、下位側の機器との間の一連の通信シーケンスが未完了の通信シーケンスに関するデータが順番に格納されている。よって、集中管理制御装置３００は、保留記憶部３２６に格納されている未完了の通信シーケンスである未完了通信シーケンスを参照することで、未完了となっている下位側の機器との通信が再開した場合に、未完了通信シーケンスを再開することができる。
運転スケジュール送信先記憶部３２５及び保留記憶部３２６が格納する各種データに関しては、図２５を用いて後述する。
【００４６】
集中管理制御装置側設定手段３１４は、ユーザーと、集中管理制御装置３００との間で、ユーザーからユーザーが入力可能な形式で各種設定データが入力される入力インターフェースである。集中管理制御装置側設定手段３１４は、タッチパネル及びタッチパネル制御装置等（いずれも図示せず）から構成される。
【００４７】
集中管理制御装置側設定手段３１４には、外気温度、湿度、クーラー２００に格納されている冷却対象の在庫数、クーラー２００に格納する冷却対象の追加投入予定数、及びクーラー２００に格納されている冷却対象の在庫数の減少予定数等に基づいて運転スケジュールが作成されるときの条件項目等が集中管理制御装置側表示手段３１５を用いて表示され、タッチパネル等を介して設定される。
【００４８】
なお、上記の説明では、運転スケジュールの作成に用いられる条件項目等が集中管理制御装置側設定手段３１４を介して設定される一例について説明したが、特にこれに限定しない。例えば、集中管理制御装置側設定手段３１４を介して、運転操作、停止操作、霜取り制御操作等が行われてもよい。また、例えば、集中管理制御装置側設定手段３１４を介して、霜取り周期、霜取り時間、霜取り運転開始時刻、セットバック運転開始時刻、及び通常冷却運転開始時刻等が設定されてもよい。
【００４９】
集中管理制御装置側表示手段３１５は、ユーザーと、集中管理制御装置３００との間で、ユーザーに対し、ユーザーが視認可能な形式で各種設定データが出力される出力インターフェースである。集中管理制御装置側表示手段３１５は、液晶ディスプレイ及び液晶ディスプレイ制御装置等（いずれも図示せず）から構成され、例えば、各種条件項目等に基づいて作成された運転スケジュールを液晶ディスプレイを介して表示させる。
【００５０】
なお、上記の説明では、集中管理制御装置側表示手段３１５が運転スケジュールを表示する一例について説明したが、特にこれに限定しない。集中管理制御装置側表示手段３１５は、例えば、運転、停止、サーモ状態、霜取り等の熱源機側コントローラー１１０及びクーラー側コントローラー２１０の運転状態、クーラー２００が設けられ、冷凍庫又は冷蔵庫として形成された各部屋の庫内温度、霜取り周期、及び霜取り時間等の設定値等を表示してもよい。また、集中管理制御装置側表示手段３１５は、熱源機側コントローラー１１０及びクーラー側コントローラー２１０で発生した異常又は異常履歴等の異常状態等を表示してもよい。
【００５１】
時計手段３１６は、予め設定された時刻に基づいて時間をカウントするものであり、運転スケジュール等の制御指令を下位側の機器へ供給するタイミングを制御する。
例えば、時計手段３１６には、グリニッジ標準時が設定されてもよい。また、例えば、時計手段３１６は、標準電波を受信して誤差を自動補正する時計で構成されてもよい。また、例えば、時計手段３１６は、ＧＰＳ（Ｇｌｏｂａｌ  Ｐｏｓｉｔｉｏｎｉｎｇ  Ｓｙｓｔｅｍ）からの電波を受信するＧＰＳ受信機を備え、ＧＰＳ受信機で受信した電波に基づいて時刻が設定されてもよい。
つまり、時計手段３１６は、運転スケジュール等の制御指令を出すトリガとなるタイミングを計時し、上位側の機器が保有する運転スケジュールと、下位側の機器が保有する運転スケジュールとに設定された各種処理が同一時刻に開始するように同期できるものであればよく、特に限定しない。
【００５２】
なお、上記で説明した集中管理制御装置３００の各構成及び機能は一例を示すものであり、特にこれに限定するものではない。例えば、集中管理制御装置側記憶手段３１３が、過去に、下位側の機器に供給した運転スケジュールの履歴を管理する履歴管理記憶部（図示せず）が設けられてもよい。
また、集中管理制御装置３００と、下位側の機器とで送受信される各種信号は、後述するように識別情報等に基づいて伝達される。よって、互いに利用する識別情報が同一のデータを参照するように、紐付け処理が適宜なされる。
【００５３】
図４は、本発明の実施の形態１における熱源機１００の機能構成の一例を示す図である。図４に示すように、熱源機１００は、熱源機側コントローラー１１０を備える。熱源機側コントローラー１１０は、熱源機１００を統括制御するものであり、熱源機側制御手段１１１、熱源機側通信手段１１２、熱源機側記憶手段１１３、熱源機側設定手段１１４、熱源機側表示手段１１５、及び時計手段１１６を備える。
【００５４】
熱源機側制御手段１１１は、マイクロプロセッサユニットを主体として構成され、熱源機側通信手段１１２、熱源機側記憶手段１１３、熱源機側設定手段１１４、熱源機側表示手段１１５、及び時計手段１１６を統括管理する。
【００５５】
熱源機側通信手段１１２は、第１伝送線５００を介して、上位側の機器、例えば、集中管理制御装置３００との間で、運転スケジュール及び各種制御指令等の各種信号を通信する通信インターフェースである。また、熱源機側通信手段１１２は、第２伝送線６００を介して、下位側の機器、例えば、クーラー側コントローラー２１０との間で、運転スケジュール及び各種制御指令等の各種信号を通信する通信インターフェースである。
【００５６】
第１伝送線５００及び第２伝送線６００では、上記で説明した運転操作、停止操作、霜取り制御操作等の制御指令等が伝達される。また、第１伝送線５００及び第２伝送線６００では、上記で説明した霜取り周期、霜取り時間、霜取り運転開始時刻、セットバック運転開始時刻、及び通常冷却運転開始時刻等の制御データ等が伝達される。
また、第１伝送線５００及び第２伝送線６００では、高圧又は低圧等の運転圧力、吐出ガス温度、吸入ガス温度、液管温度、外気温度、及び圧縮機シェル温度等運転温度、圧縮機運転周波数、庫内温度、セットバック温度、目標蒸発温度、並びに目標凝縮温度等が伝達されてもよい。
要するに、第１伝送線５００及び第２伝送線６００では、冷凍システム１の運用に用いられる制御指令及び制御データ等の各種信号が伝達される。
【００５７】
また、熱源機側通信手段１１２は、熱源機側制御手段１１１からの指令に基づいて、各種信号を上位側又は下位側の機器との間の通信の取り決めが定められた通信プロトコルに準拠した通信データに変換し、変換した通信データを第１伝送線５００又は第２伝送線６００を介して上位側の機器又は下位側の機器に供給する。
【００５８】
熱源機側記憶手段１１３は、熱源機１００が管理する各種データを格納するものであり、例えば、運転スケジュール記憶部１２３、ベーススケジュール記憶部１２４、及び実運転データ記憶部１２５を備える。
運転スケジュール記憶部１２３は、上位側の機器から供給される運転スケジュールを格納するものである。
ベーススケジュール記憶部１２４は、予め設定された使用条件に基づいてクーラー２００を運転するスケジュールを定めたベーススケジュールを格納するものである。
実運転データ記憶部１２５は、実稼働分の実運転データを格納するものである。実運転データ記憶部１２５は、実運転データとして、例えば、実霜取運転時間と、実霜取運転時間に対応する日付データとの組から形成されるものであるが、特に限定しない。
【００５９】
熱源機側設定手段１１４は、ユーザーと、熱源機１００との間で、ユーザーからユーザーが入力可能な形式で各種設定データが入力される入力インターフェースである。熱源機側設定手段１１４は、タッチパネル及びタッチパネル制御装置等（いずれも図示せず）から構成される。熱源機側設定手段１１４は、識別情報、識別情報に対応する運転内容、及びベーススケジュール等が熱源機側表示手段１１５を用いて表示され、タッチパネル等を介して設定される。よって、熱源機１００は、上位側の機器、例えば、集中管理制御装置３００との間で識別情報等で互いが保有する各種情報の伝達が可能となる。また、熱源機１００は、下位側の機器、例えば、クーラー側コントローラー２１０との間で識別情報等で互いが保有する各種情報の伝達が可能となる。
なお、運転内容とは、例えば、運転操作、停止操作、霜取り制御操作、霜取り周期、霜取り時間、霜取り運転開始時刻、セットバック運転開始時刻、及び通常冷却運転開始時刻等の各種情報のことである。
【００６０】
熱源機側表示手段１１５は、ユーザーと、熱源機１００との間で、ユーザーへユーザーが視認可能な形式で各種設定データが出力される出力インターフェースである。熱源機側表示手段１１５は、液晶ディスプレイ及び液晶ディスプレイ制御装置等から構成され、例えば、各種条件項目等に基づいて作成された運転スケジュールを液晶ディスプレイを介して表示させる。
【００６１】
なお、上記の説明では、熱源機側表示手段１１５が運転スケジュールを表示する一例について説明したが、特にこれに限定しない。熱源機側表示手段１１５は、例えば、運転、停止、サーモ状態、霜取り等の熱源機側コントローラー１１０及びクーラー側コントローラー２１０の運転状態を表示してもよい。また、クーラー２００が設けられ、冷凍庫又は冷蔵庫として形成された各部屋の庫内温度、霜取り周期、及び霜取り時間等の設定値等が熱源機側表示手段１１５で表示されてもよい。また、熱源機側表示手段１１５は、熱源機側コントローラー１１０及びクーラー側コントローラー２１０で発生した異常又は異常履歴等の異常状態等を表示してもよい。
【００６２】
時計手段１１６は、予め設定された時刻に基づいて時間をカウントするものであり、運転スケジュール等の制御指令を下位側の機器へ供給するタイミングを制御する。
例えば、時計手段３１６には、グリニッジ標準時が設定されてもよい。また、例えば、時計手段３１６は、標準電波を受信して誤差を自動補正する時計で構成されてもよい。また、例えば、時計手段３１６は、ＧＰＳ（Ｇｌｏｂａｌ  Ｐｏｓｉｔｉｏｎｉｎｇ  Ｓｙｓｔｅｍ）からの電波を受信するＧＰＳ受信機を備え、ＧＰＳ受信機で受信した電波に基づいて時刻が設定されてもよい。
つまり、時計手段３１６は、運転スケジュール等の制御指令を出すトリガとなるタイミングを計時し、上位側の機器が保有する運転スケジュールと、下位側の機器が保有する運転スケジュールとに設定された各種処理が同一時刻に開始するように同期できるものであればよく、特に限定しない。
【００６３】
なお、上記で説明した熱源機１００の各構成及び機能は一例を示すものであり、特にこれに限定するものではない。例えば、熱源機側記憶手段１１３が、過去に、上位側の機器から供給された運転スケジュールの履歴を管理する履歴管理記憶部（図示せず）が設けられてもよい。
【００６４】
図５は、本発明の実施の形態１におけるクーラー側コントローラー２１０の機能構成の一例を示す図である。図５に示すように、クーラー側コントローラー２１０は、クーラー２００を統括制御するものであり、クーラー側制御手段２１１、クーラー側通信手段２１２、クーラー側記憶手段２１３、クーラー側設定手段２１４、クーラー側表示手段２１５、及び時計手段２１６を備える。
【００６５】
クーラー側制御手段２１１は、マイクロプロセッサユニットを主体として構成され、クーラー側通信手段２１２、クーラー側記憶手段２１３、クーラー側設定手段２１４、クーラー側表示手段２１５、及び時計手段２１６を統括管理する。
【００６６】
クーラー側通信手段２１２は、第２伝送線６００を介して、上位側の機器、例えば、集中管理制御装置３００との間で、運転スケジュール及び各種制御指令等の各種信号を通信する通信インターフェースである。また、クーラー側通信手段２１２は、第２伝送線６００を介して、上位側の機器、例えば、熱源機１００、すなわち、熱源機側コントローラー１１０との間で、運転スケジュール及び各種制御指令等の各種信号を通信する通信インターフェースである。また、クーラー側通信手段２１２は、クーラー２００と通信媒体を介して、クーラー２００に運転スケジュール及び各種制御指令等に基づいた各種信号を通信する通信インターフェースである。また、クーラー側通信手段２１２は、リモートコントローラー４００と通信媒体を介して、各種設定信号等を通信する通信インターフェースである。
【００６７】
なお、第２伝送線６００では、上記で説明した各種信号が伝達される点では同一であるので、第２伝送線６００で伝達される各種信号の詳細については省略する。
【００６８】
また、クーラー側通信手段２１２は、クーラー側制御手段２１１からの指令に基づいて、各種信号を上位側の機器との間の通信の取り決めが定められた通信プロトコルに準拠した通信データに変換し、変換した通信データを第２伝送線６００を介して上位側の機器に供給する。
【００６９】
クーラー側記憶手段２１３は、クーラー側コントローラー２１０が管理する各種データを格納するものであり、例えば、運転スケジュール記憶部２２３、ベーススケジュール記憶部２２４、及び実運転データ記憶部２２５を備える。
運転スケジュール記憶部２２３は、上位側の機器から供給される運転スケジュールを格納するものである。
ベーススケジュール記憶部２２４は、予め設定された使用条件に基づいてクーラー２００を運転するスケジュールを定めたベーススケジュールを格納するものである。
実運転データ記憶部２２５は、実稼働分の実運転データを格納するものである。実運転データ記憶部２２５は、実運転データとして、例えば、実霜取運転時間と、実霜取運転時間に対応する日付データとの組から形成されるものであるが、特に限定しない。
【００７０】
クーラー側設定手段２１４は、ユーザーと、クーラー側コントローラー２１０との間で、ユーザーからユーザーが入力可能な形式で各種設定データが入力される入力インターフェースである。クーラー側設定手段２１４は、タッチパネル及びタッチパネル制御装置等（いずれも図示せず）から構成される。クーラー側設定手段２１４は、識別情報、識別情報に対応する運転内容、及びベーススケジュール等がクーラー側コントローラー２１０を用いて表示され、タッチパネル等を介して設定される。よって、クーラー側コントローラー２１０は、上位側の機器、例えば、集中管理制御装置３００との間で識別情報等で互いが保有する各種情報の伝達が可能となる。また、クーラー側コントローラー２１０は、上位側の機器、例えば、熱源機１００との間で識別情報等で互いが保有する各種情報の伝達が可能となる。
なお、運転内容とは、例えば、運転操作、停止操作、霜取り制御操作、霜取り周期、霜取り時間、霜取り運転開始時刻、セットバック運転開始時刻、及び通常冷却運転開始時刻等の各種情報のことである。
【００７１】
クーラー側表示手段２１５は、ユーザーと、クーラー側コントローラー２１０との間で、ユーザーへユーザーが視認可能な形式で各種設定データが出力される出力インターフェースである。クーラー側表示手段２１５は、液晶ディスプレイ及び液晶ディスプレイ制御装置等から構成され、例えば、各種条件項目等に基づいて作成された運転スケジュールを液晶ディスプレイを介して表示させる。
【００７２】
なお、上記の説明では、クーラー側表示手段２１５が運転スケジュールを表示する一例について説明したが、特にこれに限定しない。クーラー側表示手段２１５は、例えば、運転、停止、サーモ状態、霜取り等の熱源機側コントローラー１１０及びクーラー側コントローラー２１０の運転状態を表示してもよい。また、クーラー２００が設けられ、冷凍庫又は冷蔵庫として形成された各部屋の庫内温度、霜取り周期、及び霜取り時間等の設定値等がクーラー側表示手段２１５で表示されてもよい。また、クーラー側表示手段２１５は、熱源機側コントローラー１１０及びクーラー側コントローラー２１０で発生した異常又は異常履歴等の異常状態等を表示してもよい。
【００７３】
時計手段２１６は、予め設定された時刻に基づいて時間をカウントするものであり、運転スケジュール等の制御指令を下位側の機器へ供給するタイミングを制御する。
例えば、時計手段２１６には、グリニッジ標準時が設定されてもよい。また、例えば、時計手段２１６は、標準電波を受信して誤差を自動補正する時計で構成されてもよい。また、例えば、時計手段２１６は、ＧＰＳ（Ｇｌｏｂａｌ  Ｐｏｓｉｔｉｏｎｉｎｇ  Ｓｙｓｔｅｍ）からの電波を受信するＧＰＳ受信機を備え、ＧＰＳ受信機で受信した電波に基づいて時刻が設定されてもよい。
つまり、時計手段２１６は、運転スケジュール等の制御指令を出すトリガとなるタイミングを計時し、上位側の機器が保有する運転スケジュールと、下位側の機器が保有する運転スケジュールとに設定された各種処理が同一時刻に開始するように同期できるものであればよく、特に限定しない。
【００７４】
なお、上記で説明したクーラー側コントローラー２１０の各構成及び機能は一例を示すものであり、特にこれに限定するものではない。例えば、クーラー側記憶手段２１３が、過去に、上位側の機器から供給された運転スケジュールの履歴を管理する履歴管理記憶部（図示せず）が設けられてもよい。
【００７５】
なお、図３〜図５において、集中管理制御装置側設定手段３１４と、集中管理制御装置側表示手段３１５と、熱源機側設定手段１１４と、熱源機側表示手段１１５と、クーラー側設定手段２１４と、クーラー側表示手段２１５とを機能毎に説明したが、実際には、例えば、各設定手段としてタッチパネルを備え、各表示手段として液晶ディスプレイを備える場合には、液晶ディスプレイと、タッチパネルとが階層的に構成されることになる。よって、液晶ディスプレイと、タッチパネルとが使用される場合には、各設定手段と、各表示手段とは階層的に構成されることになる。例えば、集中管理制御装置側設定手段３１４と、集中管理制御装置側表示手段３１５とが階層的に構成され、熱源機側設定手段１１４と、熱源機側表示手段１１５とが階層的に構成され、クーラー側設定手段２１４と、クーラー側表示手段２１５とが階層的に構成される。
【００７６】
図６は、本発明の実施の形態１における集中管理制御装置３００での制御スケジュールの設定画面の一例を示す図である。図６に示すように、集中管理制御装置側表示手段３１５で制御スケジュールパターン設定画面が表示されている。制御スケジュールパターン設定画面には、左上側に、タブにパターンＡ設定と表示されることで、パターンＡ設定に関する制御スケジュールパターン設定画面が表示されている。
【００７７】
最左端側のボックスには、下方に行くにしたがって、１から番号が昇順に付されている。この番号ごとに新しい制御内容を登録可能となっている。例えば、最左端側のボックスに１が付された行には、時刻が００時００分、運転モードがセットバック、セットバック温度が５℃の制御内容が登録されている。最右端側のボックスには、例えば、ゴミ箱の形態のアイコンが表示され、このアイコンが操作されることで登録した制御内容を消去できるようになっている。
また、例えば、最左端側のボックスに２が付された行には、時刻が０６時００分、運転モードが冷却、セットバック温度が未登録の制御内容が登録されている。この行における最右端側のボックスには上記の形態及び機能と同様のアイコンが表示されている。
また、例えば、最左端側のボックスに３が付された行には、時刻が１５時００分、運転モードがセットバック、セットバック温度が３℃の制御内容が登録されている。最右端側のボックスには上記の形態及び機能と同様のアイコンが表示されている。
なお、上記で説明した各登録例は一例を示すだけであり、特にこれに限定しない。
【００７８】
上記で説明した制御内容を確定させるには、画面下方にある確定ボタンが操作されればよい。また、同一のタブの内容で別画面を表示させるには、右三角ボタンが操作されればよい。また、現在表示されている制御内容をすべてキャンセルするには、画面下方右側のキャンセルボタンが操作されればよい。
【００７９】
なお、パターンＡ設定以外の制御内容、例えば、パターンＢ設定の制御内容を表示させるには、例えば、パターンＡ設定が表示されたタブが操作されることで、タブの表示が切り替わり、目的のタブを表示させる機能構成にしてもよい。また、それ以外のパターンについては、適宜パターンＣ、Ｄ、・・・というようにアルファベットを順に添え字にして区別できるようにすればよいが、区別の仕方はこれに限定するものではない。例えば、自然数を添え字にしてもよい。要するに、他と区別ができればよい。
なお、上記で説明した各アイコン等の操作については、タッチパネル等を介して集中管理制御装置側設定手段３１４が操作を受け付け、操作内容に基づいた各種信号を集中管理制御装置側制御手段３１１に供給すればよい。
【００８０】
図７は、本発明の実施の形態１における集中管理制御装置３００での霜取スケジュールの設定画面の一例を示す図である。図７に示すように、集中管理制御装置側表示手段３１５で霜取スケジュールパターン設定画面が表示されている。霜取スケジュール設定画面には、左上側に、タブにパターン１設定と表示されることで、パターン１設定に関する霜取スケジュールパターン設定画面が表示されている。
【００８１】
霜取スケジュールパターン設定画面には、主に、３つのウィンドウが表示されている。上端部のメニューバーに、霜取開始時刻と表示されているウィンドウは２つあり、霜取スケジュールパターン設定画面の左側と右側とにそれぞれ表示されている。左側に表示されている霜取開始時刻設定ウィンドウの下方には、周期が設定された周期設定ウィンドウが表示されている。
【００８２】
霜取開始時刻設定ウィンドウには、最左端側のボックスに、下方に行くにしたがって、１から番号が昇順に付されている。この番号ごとに新しい霜取開始時刻が登録可能となっている。例えば、画面左側に表示されている霜取開始時刻設定ウィンドウの最左端のボックスに１が付された行には、霜取開始時刻が０６時００分の制御内容が登録され、同一ウィンドウの最右端側のボックスには、上記で説明したものと同様なゴミ箱のアイコンが表示されている。
【００８３】
また、例えば、画面左側に表示されている霜取開始時刻設定ウィンドウの最左端のボックスに２が付された行には、霜取開始時刻が１８時００分の制御内容が登録され、同一ウィンドウの最右端側のボックスには、上記で説明したものと同様なゴミ箱のアイコンが表示されている。また、最左端のボックスに３以上の番号が付された各行には、霜取開始時刻には００時００分と表示されている。霜取開始時刻は００時００分が最も早い開始時刻であり、最左端のボックスに１が付された行には、００時００分以降の時刻が設定されている。よって、最左端のボックスに３以上の番号が付された各行には何も設定されていない状態である。
【００８４】
また、例えば、画面右側に表示されている霜取開始時刻設定ウィンドウには、画面左側に表示されている霜取開始時刻設定ウィンドウと同様のものが表示されている。ただし、霜取開始時刻は登録されていない。
【００８５】
また、例えば、画面左下に表示されている周期設定ウィンドウの最左端のボックスには、周期という文言が表示され、その右側には周期時間が０６時間の制御内容が登録され、同一ウィンドウの最右端側のボックスには、上記で説明したものと同様なゴミ箱のアイコンが表示されている。
なお、上記で説明した各登録例は一例を示すだけであり、特にこれに限定しない。
また、別のパターンについては、パターン２、３、・・・と添え字の自然数を変えていけばよいが、特にこれに限定しない。例えば、パターンα、β、・・・というようにギリシャ文字が添え字として付記されていてもよい。要するに、他と区別ができればよい。
【００８６】
なお、上記で説明した制御内容を確定させるには、制御スケジュールの設定と同様に操作がされればよく、画面下方にある確定ボタンが操作されればよい。また、同一のタブの内容で別画面を表示させるには、制御スケジュールの設定と同様に操作がされればよく、右三角ボタンが操作されればよい。また、現在表示されている制御内容をすべてキャンセルするには、制御スケジュールの設定と同様に操作がされればよく、画面下方右側のキャンセルボタンが操作されればよい。
【００８７】
図８は、本発明の実施の形態１における制御スケジュールと霜取スケジュールとに基づいた運転スケジュールの一例を示す図である。図８に示す一例は、集中管理制御装置側表示手段３１５の液晶ディスプレイに表示されるものである。図８に示すように、最左端側には、上から下へ順に、クーラー側コントローラー＃１、クーラー側コントローラー＃２、及びクーラー側コントローラー＃３という記載が配置され、それ以降は省略する形で、クーラー側コントローラー＃Ｎ（ただし、Ｎは自然数）という記載が配置されている。上方には、左から右に時系列で日時に関する記載が配置されており、例えば、左から右へ順に、Ｘ月Ｙ日、Ｘ月Ｙ＋１日、Ｘ月Ｙ＋２日という記載が配置されている。
そして、各日時の記載の下方には、左から右へ順に、０時００分、６時００分、１２時００分、及び１８時００分という記載が配置されている。
【００８８】
各日時の領域は、各領域の境同士が上から下へ向かう線分で仕切られている。そして、その各領域には、運転スケジュール又はベーススケジュールの制御内容の記載と、その制御内容ごとの網掛け表示とで形成された略矩形状の表示が互いに密接して配置されている。例えば、ベースという文言は、ベーススケジュールに相当する。上記で説明したように、ベーススケジュールは、予め設定された使用条件に基づいてクーラー２００を運転する予定の一覧である。また、例えば、パターンＡという文言は、図６を用いて説明したパターンＡ設定に対応した運転スケジュールに相当する。また、例えば、パターンＢという文言は、図６で図示しないパターンＢ設定に対応した運転スケジュールに相当する。
【００８９】
次に、クーラー側コントローラー２１０毎の運転スケジュール又はベーススケジュールについて説明する。クーラー側コントローラー＃１は、例えば、クーラー側コントローラー２１０Ａに対応したものであると想定する。Ｘ月Ｙ日には、ベーススケジュールが設定されている。この場合、省エネ運転は考慮せず、冷却対象物を冷却する運転が設定されている。具体的には、００時００分から０２時００分まで、設定されている運転がない。０２時０１分から１３時００分まで、冷却運転が設定されている。１３時０１分から２３時５９分まで、セットバック運転が設定されている。また、霜取り運転は、０６時００分と、１８時００分とで開始される設定がされている。
【００９０】
次に、クーラー側コントローラー＃１は、Ｘ月Ｙ＋１日には、ベーススケジュールが設定され、Ｘ月Ｙ＋２日には、ベーススケジュールが設定されている。ただし、クーラー側コントローラー＃１において、設定されているベーススケジュールは、冷却運転開始時刻が０２時０１分であり、それ以前の００時００分から０２時００分までの設定は未定である。この場合、Ｘ月Ｙ＋１日及びＸ月Ｙ＋２日のベーススケジュールのうち、００時００分から０２時００分までの設定は、それぞれ前日の２３時５９分時点の運転内容が継承される。
よって、Ｘ月Ｙ日のベーススケジュールにおいて、２３時５９分時点の運転内容はセットバック運転であるため、Ｘ月Ｙ＋１日及びＸ月Ｙ＋２日において、００時００分から０２時００分の間については、セットバック運転が継承される。０２時０１分から１３時００分まで、及び１３時０１分から２３時５９分までについてはＸ月Ｙ日のベーススケジュールと同様であるのでその説明については省略する。
【００９１】
クーラー側コントローラー＃２は、例えば、クーラー側コントローラー２１０Ｂに対応したものであると想定する。Ｘ月Ｙ日には、ベーススケジュールが設定されている。この場合、省エネ運転は考慮せず、冷却対象物を冷却する運転が設定されている。具体的には、００時００分から１０時００分まで、冷却運転が設定されている。１０時０１分から１８時００分まで、セットバック運転が設定されている。１８時０１分から２３時５９分まで、冷却運転が設定されている。また、霜取り運転は、０６時００分と、１８時００分とで開始される設定がされている。
【００９２】
次に、クーラー側コントローラー＃２は、Ｘ月Ｙ＋１日には、パターンＡが設定され、Ｘ月Ｙ＋２日には、Ｘ月Ｙ日とは異なるベーススケジュールが設定されている。
Ｘ月Ｙ＋１日のパターンＡは、省エネ運転をしつつ、冷却対象物を冷却する運転が設定される。Ｘ月Ｙ＋１日のパターンＡは、００時００分から０６時００分まで、セットバック運転が設定され、０６時０１分から１３時００分まで、冷却運転が設定され、１３時０１分から２３時５９分まで、セットバック運転が設定されている。また、霜取り運転は、０６時００分と、１８時００分とで開始される設定がされている。
【００９３】
Ｘ月Ｙ＋１日のパターンＡの場合、ベーススケジュールで予め設定された使用条件と比べて低消費電力でクーラー２００が運転される。Ｘ月Ｙ＋１日においては、例えば、通常の冷却運転と比較して設定温度を上げた状態で運転するセットバック運転が一日のうち、２回行われる。この動作で、この場合のセットバック運転中においては、設定温度が冷却運転時と比較して高い状態を維持する期間が１日に２回繰り返される。よって、省エネ運転となる。つまり、予め設定された第１の目標温度に基づいてクーラー２００を冷却するスケジュールがベーススケジュールと想定すると、省エネ用の運転スケジュールは、第１の目標温度と比べて高い第２の目標温度に基づいてクーラー２００を冷却する運転となる。
【００９４】
ここで、省エネ運転について説明する。省エネ運転は目標温度を高く設定したセットバック運転に特に限定しない。例えば、ベーススケジュールの場合に、予め設定された第１の霜取運転時間に基づいてクーラー２００の霜取りが行われると想定する。この場合、第１の霜取運転時間と比べて少ない第２の霜取運転時間に基づいてクーラー２００の霜取りを行う運転を運転スケジュールで行えば、省エネ運転となる。
また、ベーススケジュールの場合に、予め設定された複数の冷却時間間隔では第３の目標温度に基づいてクーラー２００を冷却すると想定する。この場合、その冷却時間間隔と比べて短く、又は、その複数の冷却時間間隔と比べて回数を少なくした上で、第３の目標温度と比べて高い第４の目標温度に基づいてクーラー２００を冷却する運転を運転スケジュールで行えば、省エネ運転となる。
また、ベーススケジュールの場合に、予め設定された複数の霜取時間間隔でクーラー２００の霜取りが行われると想定する。この場合、その霜取時間間隔と比べて短く、又は、その複数の霜取時間間隔と比べて回数を少なくしてクーラー２００の霜取りを行う運転を運転スケジュールで行えば、省エネ運転となる。
なお、ベーススケジュール以外の運転スケジュール全てを省エネ運転に設定しなくてもよい。例えば、パターンＡを省エネ運転に設定し、パターンＢをベーススケジュールと比較して強めに冷却を行う運転に設定してもよい。
【００９５】
各スケジュールの詳細の説明に戻る。Ｘ月Ｙ＋２日のベーススケジュールは、００時００分から０２時００分までの設定は未定であったため、前日の２３時５９分時点の運転内容であるセットバック運転が継承される。
よって、Ｘ月Ｙ＋２日のベーススケジュールは、００時００分から０２時００分までの設定は、セットバック運転が設定される。また、０２時０１分から１３時００分まで、冷却運転が設定され、１３時０１分から２３時５９分まで、セットバック運転が設定される。また、霜取り運転は、０６時００分と、１８時００分とで開始される設定がされている。
【００９６】
クーラー側コントローラー＃３は、例えば、図示しないクーラー側コントローラー２１０Ｃに対応したものであると想定する。Ｘ月Ｙ日には、ベーススケジュールが設定されている。この場合、省エネ運転は考慮せず、冷却対象物を冷却する運転が設定されている。具体的には、００時００分から１０時００分まで、冷却運転が設定されている。１０時０１分から１８時００分まで、セットバック運転が設定されている。１８時０１分から２３時５９分まで、冷却運転が設定されている。また、霜取り運転は、０６時００分と、１８時００分とで開始される設定がされている。
【００９７】
次に、クーラー側コントローラー＃３は、Ｘ月Ｙ＋１日には、パターンＢが設定され、Ｘ月Ｙ＋２日には、Ｘ月Ｙ日とは異なるベーススケジュールが設定されている。
Ｘ月Ｙ＋１日のパターンＢは、００時００分から０６時００分まで、セットバック運転が設定され、０６時０１分から２３時５９分まで、冷却運転が設定されている。また、霜取り運転は、０６時００分と、１８時００分とで開始される設定がされている。
Ｘ月Ｙ＋２日のベーススケジュールは、００時００分から０２時００分までの設定は未定であったため、前日の２３時５９分時点の運転内容である冷却運転が継承される。
よって、Ｘ月Ｙ＋２日のベーススケジュールは、００時００分から０２時００分までの設定は、冷却運転が設定される。また、０２時０１分から１３時００分まで、冷却運転が設定され、１３時０１分から２３時５９分まで、セットバック運転が設定される。また、霜取り運転は、０６時００分と、１８時００分とで開始される設定がされている。
【００９８】
クーラー側コントローラー＃Ｎは、例えば、図示しないクーラー側コントローラー２１０Ｄに対応したものであると想定する。Ｘ月Ｙ日には、パターンＡが設定されている。この場合、省エネ運転が考慮され、省エネ運転をしつつ、冷却対象物を冷却する運転が設定されている。具体的には、００時００分から０６時００分まで、セットバック運転が設定されている。０６時０１分から１３時００分まで、冷却運転が設定されている。１３時０１分から２３時５９分まで、セットバック運転が設定されている。また、霜取り運転は、０６時００分と、１８時００分とで開始される設定がされている。
【００９９】
次に、クーラー側コントローラー＃Ｎは、Ｘ月Ｙ＋１日には、クーラー側コントローラー＃３のパターンＢと同様のパターンＢが設定され、Ｘ月Ｙ＋２日には、Ｘ月Ｙ日と同様のパターンＡが設定されている。
【０１００】
なお、セットバック運転を００時００分に開始させる場合には、その開始時刻の登録がされていなければ開始されないこととなっている。
また、上記で説明した運転スケジュール及びベーススケジュールの一例は、集中管理制御装置側表示手段３１５の液晶ディスプレイだけでなく、熱源機側表示手段１１５及びクーラー側表示手段２１５の何れかの液晶ディスプレイでも表示可能である。
上記で説明したベーススケジュール、パターンＡの運転スケジュール、及びパターンＢの運転スケジュールを前提として、運転又は停止の制御指令が各クーラー側コントローラー２１０から各クーラー２００に供給された場合について図９を用いて説明する。
【０１０１】
図９は、本発明の実施の形態１における運転スケジュール上に運転命令及び停止命令を可視化させた場合の一例を示す図である。
クーラー側コントローラー＃１においては、Ｘ月Ｙ日の冷却運転中に停止命令がなされた場合、途中でベーススケジュールは停止する。次に、Ｘ月Ｙ＋１日に、クーラー側コントローラー＃１は運転命令をした場合、パターンＡの運転スケジュールで運転が行われ、そのまま、Ｘ月Ｙ＋２日においても、ベーススケジュールで運転が行われる。
【０１０２】
クーラー側コントローラー＃２においては、Ｘ月Ｙ日の冷却運転中に停止命令がなされた場合、途中でベーススケジュールは停止する。その後、運転命令がなされないので、停止のままである。
クーラー側コントローラー＃Ｎにおいては、Ｘ月Ｙ日の冷却運転中に停止命令がなされた場合、途中でパターンＡの運転スケジュールは停止する。次に、Ｘ月Ｙ＋１日には運転命令がなされないため、そのまま停止状態を維持する。次に、Ｘ月Ｙ＋２日には運転命令がなされたため、パターンＡの運転スケジュールで運転が行われる。
次に、上記で説明した運転スケジュール及びベーススケジュールが日付けの変更に伴い設定更新され、稼働用のスケジュールが選択されていく一連の設定シーケンスについて図１０を用いて説明する。
【０１０３】
図１０は、本発明の実施の形態１における運転スケジュールの設定手順の一例を示す図である。集中管理制御装置３００は、クーラー側コントローラー＃１用の翌日のスケジュール、すなわち、翌日用の運転スケジュールと、クーラー側コントローラー＃２用の翌日のスケジュール、すなわち、翌日用の運転スケジュールとを備えている。
このとき、クーラー側コントローラー＃１にはアドレス１が付与され、クーラー側コントローラー＃２にはアドレス２が付与されていると想定する。
また、クーラー側コントローラー＃１には、実際の制御スケジュールを稼働するメモリ領域が予め割り当てられており、クーラー側コントローラー＃２にも、実際の制御スケジュールを稼働するメモリ領域が予め割り当てられていると想定する。
【０１０４】
集中管理制御装置３００は、アドレス１宛にクーラー側コントローラー＃１用の翌日のスケジュールを供給し、アドレス２宛にクーラー側コントローラー＃２用の翌日のスケジュールを供給する。
なお、集中管理制御装置３００は、各クーラー側コントローラー２１０の宛先アドレスを予め保持しているか、又は、図１に示した第１伝送線５００を介して、存在確認フレームを一斉送信して、宛先アドレスを取得するものと想定する。
また、各クーラー側コントローラー２１０から自らが冷凍システム１上に存在することを示す自己識別子等を集中管理制御装置３００に供給してもよい。
クーラー側コントローラー＃１は自機宛の翌日のスケジュールを受信した場合、受信した翌日のスケジュールを図示しない不揮発メモリに格納する。
クーラー側コントローラー＃２は自機宛の翌日のスケジュールを受信した場合、受信した翌日のスケジュールを図示しない不揮発メモリに格納する。
【０１０５】
次に、日時が翌日になったと想定する。クーラー側コントローラー＃１は、前日に受信した翌日のスケジュールを当日のスケジュールとして図示しない不揮発メモリに保持する。このとき、翌日スケジュール記憶領域に格納されている翌日のスケジュールが、当日スケジュール記憶領域に格納されて、当日のスケジュールとなる。この動作で、翌日スケジュール記憶領域は解放されて空きが生じ、また、集中管理制御装置３００から翌日のスケジュールが供給されたときに、翌日のスケジュールが格納される。
また、クーラー側コントローラー＃１は、図示しない不揮発メモリにベーススケジュールを保持している。
ここで、当日のスケジュールが実際の制御スケジュールとして選択されると、当日のスケジュールが実際の制御スケジュール記憶領域に格納される。
【０１０６】
なお、クーラー側コントローラー＃２においても、クーラー側コントローラー＃１と同様の処理が行われるため、その説明については省略する。
次に、図１０を用いて上記で説明した稼働用のスケジュールが選択されていく一連の設定シーケンスにおける各記憶領域の格納内容の遷移について図１１〜図１６を用いて説明する。
【０１０７】
図１１は、本発明の実施の形態１における運転スケジュール記憶部３２３及び運転スケジュール記憶部２２３の内部状態の一例を示す図である。
集中管理制御装置３００は、複数の運転スケジュールを運転スケジュール群として、スケジュール＃１〜＃Ｎを作成し、保持している。
クーラー側コントローラー＃１及びクーラー側コントローラー＃２は、翌日スケジュール記憶領域、当日スケジュール記憶領域、ベーススケジュール記憶領域、及び実際の制御スケジュール記憶領域をそれぞれ確保している。
なお、上記で説明した各記憶領域は一例を示すものであり、特にこれに限定しない。
また、各記憶領域は図示しないプログラム実行用のメモリ領域に動的又は静的に確保されることを想定するが、特にこれに限定しない。
【０１０８】
図１２は、本発明の実施の形態１における運転スケジュール記憶部３２３及び運転スケジュール記憶部２２３の内部状態の第１の遷移例を示す図である。
集中管理制御装置３００は、運転スケジュール群に翌日用のスケジュール＃１〜＃Ｎを保持している。例えば、Ｘ月Ｙ日の場合、Ｘ月Ｙ＋１日用のスケジュール＃１〜＃Ｎを保持している。また、例えば、Ｘ月Ｙ＋１日の場合、Ｘ月Ｙ＋２日用のスケジュール＃１〜＃Ｎを保持している。
クーラー側コントローラー＃１は、Ｘ月Ｙ日のとき、自機のベーススケジュール記憶領域にベーススケジュール＃１を保持している。
クーラー側コントローラー＃２は、Ｘ月Ｙ日のとき、自機のベーススケジュール記憶領域にベーススケジュール＃２を保持している。
次に、クーラー側コントローラー＃１、＃２は、集中管理制御装置３００から予め定めた周期でスケジュール＃１、＃２を取得した状態について図１３を用いて説明する。
【０１０９】
図１３は、本発明の実施の形態１における運転スケジュール記憶部３２３及び運転スケジュール記憶部２２３の内部状態の第２の遷移例を示す図である。
クーラー側コントローラー＃１は、Ｘ月Ｙ日のとき、自機の翌日スケジュール記憶領域にスケジュール＃１を保持し、自機のベーススケジュール記憶領域にベーススケジュール＃１を保持している。
クーラー側コントローラー＃２は、Ｘ月Ｙ日のとき、自機の翌日スケジュール記憶領域にスケジュール＃２を保持し、自機のベーススケジュール記憶領域にベーススケジュール＃２を保持している。
次に、日付けが翌日に変わったときの各記憶領域の状態について図１４を用いて説明する。
【０１１０】
図１４は、本発明の実施の形態１における運転スケジュール記憶部３２３及び運転スケジュール記憶部２２３の内部状態の第３の遷移例を示す図である。
クーラー側コントローラー＃１は、Ｘ月Ｙ＋１日のとき、自機の翌日スケジュール記憶領域に保持していたスケジュール＃１を自機の当日スケジュール記憶領域に移動する。
クーラー側コントローラー＃２は、Ｘ月Ｙ＋１日のとき、自機の翌日スケジュール記憶領域に保持していたスケジュール＃２を自機の当日スケジュール記憶領域に移動する。
次に、クーラー側コントローラー＃１、＃２が、当日スケジュール記憶領域に保持している当日のスケジュール及びベーススケジュール記憶領域に保持しているベーススケジュールの何れかを選択した結果、実際の制御スケジュールに選択した結果が格納された状態について図１５を用いて説明する。
【０１１１】
図１５は、本発明の実施の形態１における運転スケジュール記憶部３２３及び運転スケジュール記憶部２２３の内部状態の第４の遷移例を示す図である。
クーラー側コントローラー＃１は、Ｘ月Ｙ＋１日のとき、自機の当日スケジュール記憶領域に保持していたスケジュール＃１を自機の実際の制御スケジュール記憶領域に移動する。
クーラー側コントローラー＃２は、Ｘ月Ｙ＋１日のとき、自機の当日スケジュール記憶領域に保持していたスケジュール＃２を自機の実際の制御スケジュール記憶領域に移動する。
次に、クーラー側コントローラー＃１、＃２が、実際の制御スケジュールに基づいた運転を終了し、翌日のスケジュールを保持した状態について図１６を用いて説明する。
【０１１２】
図１６は、本発明の実施の形態１における運転スケジュール記憶部３２３及び運転スケジュール記憶部２２３の内部状態の第５の遷移例を示す図である。
クーラー側コントローラー＃１は、Ｘ月Ｙ＋１日のとき、自機の実際の制御スケジュール記憶領域を解放し、自機の翌日スケジュール記憶領域にスケジュール＃１を保持している。
クーラー側コントローラー＃２は、Ｘ月Ｙ＋１日のとき、自機の実際の制御スケジュール記憶領域を解放し、自機の翌日スケジュール記憶領域にスケジュール＃２を保持している。
【０１１３】
上記の説明で、各記憶領域を利用してスケジュール＃１、＃２を処理する一例について説明したが、特にこれに限定しない。また、専用の記憶領域を設けずに、各内容に相当するフラグを設定し、その各フラグに基づいて現在の状態を管理してもよい。例えば、翌日スケジュールフラグ、当日スケジュールフラグ、ベーススケジュールフラグ、実際の制御スケジュールフラグ、前日フラグ、及び当日フラグ等の各種フラグで管理してもよい。また、スケジュール＃１等のスケジュールデータを移動させるのではなく、参照アドレスを修正することで同様の処理が行われてもよい。また、スケジュールデータ等の状態を管理するテーブルを予め設けておき、そのテーブルに基づいてスケジュールデータの状態を管理してもよい。
次に、集中管理制御装置３００から供給される翌日のスケジュールではなく、自機に設けられているベーススケジュールを利用する場合について、図１７及び図１８を用いて説明する。
【０１１４】
図１７は、本発明の実施の形態１における運転スケジュールとしてベーススケジュールが採用される設定手順の一例を示す図である。
集中管理制御装置３００は、翌日のスケジュールとして、スケジュール供給先で保持しているベーススケジュールを利用する制御指令をスケジュール供給先の宛先アドレスに対して供給する。この場合、翌日のスケジュールとしては、ベース識別情報であり、ベース識別情報は、複数のベーススケジュールのうち、該当するベーススケジュールを識別する識別子である。
例えば、集中管理制御装置３００からベース識別情報がクーラー側コントローラー＃１に供給された場合、クーラー側コントローラー＃１は、ベース識別情報に基づいて該当するベーススケジュールを選択し、実際の制御スケジュールとして実行する。
なお、上記の説明では、集中管理制御装置３００が翌日にベーススケジュールで実行する旨を前日に供給する一連のシーケンスの一例について説明したが、ベーススケジュールのベース識別情報を供給するタイミングは特にこれに限定しない。例えば、クーラー側コントローラー＃１が運転スケジュールで運用中に、集中管理制御装置３００は任意のタイミングでベース識別情報をベーススケジュールの運転指令としてクーラー側コントローラー＃１に供給してもよい。この場合には、クーラー側コントローラー＃１は、ベース識別情報を受け取ったときに、稼働中の運転スケジュールから、予め設定されているベーススケジュールに切り換える。
【０１１５】
図１８は、本発明の実施の形態１における通信が途絶えた場合に運転スケジュールとしてベーススケジュールが採用される設定手順の一例を示す図である。
集中管理制御装置３００は、翌日のスケジュールをクーラー側コントローラー＃１のアドレス１宛に送信を開始する。集中管理制御装置３００は、詳細については、図１９〜図２３を用いて後述するが、送信が完了したか否かを送信先のクーラー側コントローラー＃１から供給されることになっている。このとき、集中管理制御装置３００は、クーラー側コントローラー＃１からそういった報告を受けていないと想定する。
この場合には、翌日になっても、クーラー側コントローラー＃１は、翌日のスケジュールを保持していない。よって、クーラー側コントローラー＃１は、予め自機に設定されているベーススケジュールを用いて運転を行うこととする。
次に、集中管理制御装置３００と、クーラー側コントローラー２１０との間で行われる一連の通信シーケンスについて図１９〜図２３を用いて説明する。
【０１１６】
図１９は、本発明の実施の形態１における集中管理制御装置３００とクーラー側コントローラー２１０との通信シーケンスの一例を説明する図である。
集中管理制御装置３００は、クーラー側コントローラー２１０に対し、スケジュールデータ転送「開始」問い合わせを送信する。
クーラー側コントローラー２１０は、集中管理制御装置３００からスケジュールデータ転送「開始」問い合わせを受信後、問い合わせ結果回答を集中管理制御装置３００へ送信する。
集中管理制御装置３００は、クーラー側コントローラー２１０に対し、スケジュールデータ転送をＮ個分（Ｎは自然数）実行する。
集中管理制御装置３００は、クーラー側コントローラー２１０に対し、スケジュールデータ転送「正常受信結果」問い合わせを送信する。
クーラー側コントローラー２１０は、集中管理制御装置３００からスケジュールデータ転送「正常受信結果」問い合わせを受信後、集中管理制御装置３００に対し、問い合わせ結果回答を送信する。
集中管理制御装置３００は、クーラー側コントローラー２１０に対し、スケジュールデータ「当日データのクリア」指令を送信する。
クーラー側コントローラー２１０は、集中管理制御装置３００からスケジュールデータ「当日データのクリア」指令を受信後、集中管理制御装置３００に対し、指令結果回答を送信する。
【０１１７】
つまり、集中管理制御装置３００は、クーラー側コントローラー２１０との間で、スケジュールデータを転送する許可を取り、所定の個数のスケジュールデータを転送し、転送完了したかを確認し、転送したスケジュールデータを消去するという一例の通信シーケンスを実行する。
次に、各シーケンスの詳細について、図２０〜図２３を用いて説明する。なお、以後において、集中管理制御装置３００と、クーラー側コントローラー２１０との通信シーケンスについて説明するが、集中管理制御装置３００と、熱源機側コントローラー１１０との通信シーケンスについても同様である。
つまり、クーラー側コントローラー２１０又は熱源機側コントローラー１１０のいずれかが、本発明におけるコントローラーに相当する。
【０１１８】
図２０は、本発明の実施の形態１における集中管理制御装置３００とクーラー側コントローラー２１０との通信シーケンスのうち、スケジュールデータ転送「開始」問い合わせ時の詳細例を説明する図である。
集中管理制御装置３００は、クーラー側コントローラー２１０に対し、スケジュールデータ転送「開始」問い合わせを送信する。
【０１１９】
具体的には、集中管理制御装置３００は、クーラー側コントローラー２１０に対し、転送開始問い合わせを行い、年月日等のカレンダー情報を送信し、制御スケジュール種別識別情報を送信し、霜取スケジュール種別識別情報を送信する。
【０１２０】
より具体的には、集中管理制御装置３００は、スケジュールデータをクーラー側コントローラー２１０が受信できる状態にあるか否かの問い合わせを行う。また、集中管理制御装置３００は、制御スケジュールを送信予定の場合、送信予定の信号がウィークリースケジュールに基づく識別情報であるのか、ベーススケジュールに基づく識別情報であるのかを識別する識別情報を送信する。
また、集中管理制御装置３００は、霜取スケジュールを送信予定の場合、送信予定の信号がウィークリースケジュールに基づく識別情報であるのか、ベーススケジュールに基づく識別情報であるのかを識別する識別情報を送信する。
【０１２１】
この場合の識別情報は、集中管理制御装置３００と、クーラー側コントローラー２１０とで識別情報の種別が識別できるものであれば特に限定しない。例えば、識別する内容ごとに共通の識別子を定めておき、それをやり取りしてもよい。また、異なる識別子を定めておき、識別子を内容毎に紐付けさせておいてもよい。いずれにおいても、クーラー側コントローラー２１０及び熱源機側コントローラー１１０の何れかは、集中管理制御装置３００が作成する運転スケジュールに対応した識別情報と、その識別情報に対応する運転内容とを保持する。また、クーラー側コントローラー２１０及び熱源機側コントローラー１１０の何れかは、識別情報として、制御スケジュールパターン識別情報及び霜取スケジュールパターン識別情報を保持する。また、クーラー側コントローラー２１０及び熱源機側コントローラー１１０の何れかは、運転内容として、制御スケジュールパターン識別情報に対応する運転モードを保持する。また、クーラー側コントローラー２１０及び熱源機側コントローラー１１０の何れかは、運転内容として、霜取スケジュールパターン識別情報に対応する霜取制御内容を保持する。
【０１２２】
なお、上記の説明のウィークリースケジュールは運転スケジュールであり、通常１週間分のスケジュールが前もって作成される。一方、上記の説明のベーススケジュールは、１日分のスケジュールが前もって作成される。
【０１２３】
また、クーラー側コントローラー２１０は、集中管理制御装置３００に対し、問い合わせ結果を回答する。
具体的には、クーラー側コントローラー２１０は、集中管理制御装置３００に対し、転送受信準備完了及び転送受信準備不可の何れかを返信する。
より具体的には、クーラー側コントローラー２１０は、集中管理制御装置３００との間で、時計手段２１６での時刻が、例えば、２３時５０分以上経過していないか否かを判定し、集中管理制御装置３００と、クーラー側コントローラー２１０とが、第１伝送線５００及び第２伝送線６００を介して通信可能な状況であるか否かを判定する。
【０１２４】
なお、上記の説明では、受信可能な時刻を２３時５０分としたのは、集中管理制御装置３００からクーラー側コントローラー２１０へのスケジュールデータ転送処理が１０分かかる場合を想定した数字であり、特にこれに限定しない。例えば、設置された通信媒体と比較して高速通信可能な通信媒体で第１伝送線５００及び第２伝送線６００が形成されていれば、２３時５０分以上経過していてもよい。また、逆に、設置された通信媒体と比較して通信に時間がかかる通信媒体で第１伝送線５００及び第２伝送線６００が形成されていれば、２３時５０分まで経過したら転送不可となる。
また、通信不可の状態とは、上記の説明の他には、例えば、クーラー側コントローラー２１０を立ち上げ中、すなわち、起動中の状態を意味する。また、例えば、通信不可の状態とは、クーラー側コントローラー２１０をシャットダウン中の状態を意味する。
なお、上記の説明では、通信不可の状態の一例について説明したが、特にこれに限定しない。
【０１２５】
図２１は、本発明の実施の形態１における集中管理制御装置３００とクーラー側コントローラー２１０との通信シーケンスのうち、スケジュールデータ転送時の詳細例を説明する図である。
集中管理制御装置３００は、クーラー側コントローラー２１０に対し、Ｎ個分（Ｎは自然数）のスケジュールデータを転送する。
具体的には、集中管理制御装置３００は、クーラー側コントローラー２１０に対し、スケジュール総数、スケジュール種別識別情報、制御スケジュールパターン識別情報、霜取スケジュールパターン識別情報、カレンダー情報、及び所定の制御内容を送信する。
より具体的には、集中管理制御装置３００は、クーラー側コントローラー２１０に対し、制御スケジュールと霜取スケジュールとの転送総数からなるスケジュール総数と、制御スケジュール又は霜取スケジュールを識別するスケジュール種別識別情報と、複数の制御スケジュールパターンの中から一意に制御スケジュールパターンを識別する制御スケジュールパターン識別情報と、複数の霜取スケジュールパターンの中から一意に霜取スケジュールパターンを識別する霜取スケジュールパターン識別情報と、時分を含むカレンダー情報と、運転又は停止を識別する制御内容１と、通常冷却運転、セットバック運転、強制停止、及び霜取運転の何れかを一意に区別する制御内容２と、セットバック値を定義した制御内容３とをスケジュール総数Ｎ個分送信する。
【０１２６】
図２２は、本発明の実施の形態１における集中管理制御装置３００とクーラー側コントローラー２１０との通信シーケンスのうち、スケジュールデータ転送「正常受信結果」問い合わせ時の詳細例を説明する図である。
集中管理制御装置３００は、クーラー側コントローラー２１０に対し、スケジュールデータ転送「正常受信結果」問い合わせを送信する。
具体的には、集中管理制御装置３００は、クーラー側コントローラー２１０に対し、スケジュール種別が制御スケジュール及び霜取スケジュールの両方でベーススケジュールの場合、スケジュールデータ転送無しで問い合わせる。
一方、集中管理制御装置３００は、クーラー側コントローラー２１０に対し、スケジュール種別が制御スケジュール及び霜取スケジュールの何れかでウィークリースケジュール、すなわち、運転スケジュールの場合、全てのスケジュールデータの転送処理をしてから問い合わせる。
【０１２７】
次に、クーラー側コントローラー２１０は、集中管理制御装置３００に対し、問い合わせ結果を送信する。
具体的には、クーラー側コントローラー２１０は、集中管理制御装置３００に対し、転送が完了しているか、又は、転送不可であったかを送信する。
より具体的には、クーラー側コントローラー２１０は、集中管理制御装置３００に対し、スケジュール種別がベーススケジュールである場合、又はスケジュール種別がウィークリースケジュールであって、スケジュールデータの転送個数がスケジュール総数Ｎ個分揃っている場合、正常受信したとして転送が完了している旨を送信する。
【０１２８】
一方、クーラー側コントローラー２１０は、集中管理制御装置３００に対し、スケジュール種別がウィークリースケジュールであって、スケジュールデータの転送個数が０個である場合、スケジュール種別がウィークリースケジュールであって、スケジュールデータの転送個数がスケジュール総数Ｎ個分揃っていない場合、スケジュールデータ転送「開始」問い合わせを受信していない場合、及びスケジュール種別がベーススケジュールであって、スケジュールデータが１個以上ある場合の何れかの場合、これらの各条件を組み合わせた場合、並びにこれらの各条件を全て組み合わせた場合の何れかに該当するときには、異常状態であるとして転送不可であった旨を送信する。
【０１２９】
また、上記で説明した他にも、例えば、転送されてきたスケジュールデータの中身が解釈できない状態であれば、そのデータは破損しているので、この場合についても、クーラー側コントローラー２１０は、集中管理制御装置３００に対し、転送不可であった旨を送信する。
また、上記で説明した他にも、例えば、転送されてきたスケジュールデータの日付けが過去のものであったり数ヶ月先のものであったりして、翌日には対応しないものである場合には、クーラー側コントローラー２１０は、集中管理制御装置３００に対し、転送不可であった旨を送信する。
【０１３０】
要するに、上記で説明した転送が完了しているか又は転送不可であったかを判定する各条件は、運転スケジュールのデータ内容の正当性を判定するデータ内容正当性条件となる。
例えば、クーラー側コントローラー２１０は、集中管理制御装置３００から運転スケジュールを受信し、その受信した日の次の日になったとき、上記の転送完了の条件に該当しない場合には、ベーススケジュールで運転を行うこととし、運転が止まってしまう事態を回避する。
【０１３１】
具体的には、クーラー側コントローラー２１０は、集中管理制御装置３００から運転スケジュールを受信して取得した日から次の日であって、その運転スケジュールのデータ内容が不足している場合、すなわち、スケジュール総数Ｎ個分が揃っていない場合、データ内容正当性条件に該当しないと判定し、ベーススケジュールで運転を行うこととする。
また、例えば、クーラー側コントローラー２１０は、集中管理制御装置３００から運転スケジュールを受信して取得した日から次の日であって、その運転スケジュールのデータ内容が壊れている場合、例えば、スケジュール種別がウィークリースケジュールであるにもかかわらずスケジュールデータの転送個数が０個と識別されてデータの中身が破損している場合、データ内容正当性条件に該当しないと判定し、ベーススケジュールで運転を行う。
また、例えば、クーラー側コントローラー２１０は、集中管理制御装置３００から運転スケジュールを受信して取得した日から次の日であって、その運転スケジュールのデータ内容の一つである運転予定日が翌日用でない場合、上記で説明したように、データ内容の正当性の判定においては正当なデータに該当しない。よって、この場合においても、クーラー側コントローラー２１０は、ベーススケジュールで運転を行う。
【０１３２】
図２３は、本発明の実施の形態１における集中管理制御装置３００とクーラー側コントローラー２１０との通信シーケンスのうち、スケジュールデータ「当日データのクリア」指令時の詳細例を説明する図である。
集中管理制御装置３００は、クーラー側コントローラー２１０に対し、スケジュールデータ「当日データのクリア」指令を送信する。
具体的には、集中管理制御装置３００は、クーラー側コントローラー２１０に対し、スケジュールデータのうち、当日データクリア指令を送信する。
次に、クーラー側コントローラー２１０は、集中管理制御装置３００に対し、指令結果回答を送信する。
具体的には、集中管理制御装置３００は、クーラー側コントローラー２１０に対し、当日データクリア指令結果回答として、完了及び不可の何れかについてを送信する。
【０１３３】
以上のように、集中管理制御装置３００と、クーラー側コントローラー２１０との間で、一連の通信シーケンスが実行される。次に、上記で説明した通信シーケンスを前提として、集中管理制御装置３００の一部の処理について図２４及び図２５を用いて説明し、クーラー側コントローラー２１０の一部の処理について図２６及び図２７を用いて説明する。
【０１３４】
図２４は、本発明の実施の形態１における集中管理制御装置３００の動作を説明するフローチャートである。
【０１３５】
（ステップＳ１１）
集中管理制御装置３００は、翌日のスケジュール転送開始時刻が到来したか否かを判定する。集中管理制御装置３００は、翌日のスケジュール転送開始時刻が到来した場合、ステップＳ１２へ進む。一方、集中管理制御装置３００は、翌日のスケジュール転送開始時刻が到来しない場合、ステップＳ１１に戻る。
【０１３６】
（ステップＳ１２）
集中管理制御装置３００は、対象のクーラー側コントローラー２１０へ翌日のスケジュールの転送を開始する。
【０１３７】
（ステップＳ１３）
集中管理制御装置３００は、対象のクーラー側コントローラー２１０へ翌日のスケジュールを転送する。
【０１３８】
（ステップＳ１４）
集中管理制御装置３００は、対象のクーラー側コントローラー２１０へ翌日のスケジュールの転送を完了したか否かを判定する。つまり、集中管理制御装置３００は、対象のクーラー側コントローラー２１０から完了を受信したか否かを判定する。
例えば、集中管理制御装置３００は、対象のクーラー側コントローラー２１０へ翌日のスケジュールの転送を完了した場合、ステップＳ１５へ進む。一方、集中管理制御装置３００は、対象のクーラー側コントローラー２１０へ翌日のスケジュールの転送を完了しない場合、ステップＳ１６へ進む。
換言すれば、集中管理制御装置３００は、対象のクーラー側コントローラー２１０から完了を受信した場合、ステップＳ１５へ進む。一方、集中管理制御装置３００は、対象のクーラー側コントローラー２１０から完了を受信しない場合、ステップＳ１６へ進む。
【０１３９】
（ステップＳ１５）
集中管理制御装置３００は、接続台数分の転送が完了したか否かを判定する。集中管理制御装置３００は、接続台数分の転送が完了した場合、処理を終了する。一方、集中管理制御装置３００は、接続台数分の転送が完了しない場合、ステップＳ１６へ進む。
【０１４０】
（ステップＳ１６）
集中管理制御装置３００は、対象のクーラー側コントローラー２１０を切り換え、ステップＳ１２へ戻る。つまり、集中管理制御装置３００は、別のクーラー側コントローラー２１０を優先し、ステップＳ１２へ戻る。
ここで、集中管理制御装置３００が、対象のクーラー側コントローラー２１０を切り換えるときに行う各種データの処理の中断と、中断した各種データに基づいた処理を再開するときに行う処理の一例について図２５を用いて説明する。
【０１４１】
図２５は、本発明の実施の形態１における集中管理制御装置３００が対象のクーラー側コントローラー２１０を切り換える過程の一例を説明する図である。
中断モード９０１は、実行中であった通信シーケンスを中断し、別の通信シーケンスが実行中の状態である。ここでいう通信シーケンスとは、上記で説明したように、集中管理制御装置３００からクーラー側コントローラー２１０へ運転スケジュール等を送信するときに行われる各種データのやり取りである。
例えば、保留記憶部３２６には、未完了フラグ１が立ち、未完了フラグ１に対応する通信シーケンスの通信シーケンス番号＃１が格納されている。また、例えば、運転スケジュール記憶部３２３には、完了フラグ０が立ち、実行中フラグ０が立ち、保留フラグ１が立ち、通信シーケンス番号＃１が格納されている。また、別の通信シーケンスとしては、完了フラグ０が立ち、実行中フラグ１が立ち、保留フラグ０が立ち、通信シーケンス番号＃２が格納されている。
これは、通信シーケンス番号＃１については通信が中断し、代わりに、通信シーケンス番号＃２に関する通信が実行中の状態を意味する。
【０１４２】
一方、再開モード９０２は、別の通信シーケンスの処理が完了し、中断している通信シーケンスを再開させた状態である。
例えば、保留記憶部３２６には、未完了フラグ及び通信シーケンス番号は定義されていない。これは、現在処理を中断して保留している通信シーケンスが存在しない状態である。また、例えば、運転スケジュール記憶部３２３には、別の通信シーケンスに関しては、完了フラグ１が立ち、実行中フラグ０が立ち、保留フラグ０が立ち、通信シーケンス番号＃２が格納されている。これは、通信シーケンス番号＃２については処理が完了している状態を意味する。一方、処理を中断した通信シーケンスに関しては、完了フラグ０が立ち、実行中フラグ１が立ち、保留フラグ０が立ち、通信シーケンス番号＃１が格納されている。これは、通信シーケンス番号＃１については処理を再開し、現在処理を実行中である状態を意味する。
なお、上記で説明した中断モード９０１及び再開モード９０２は一例を示すだけであり、特にこれに限定しない。
【０１４３】
図２６は、本発明の実施の形態１におけるクーラー側コントローラー２１０のスケジュール受信時の動作を説明するフローチャートである。
【０１４４】
（ステップＳ５１）
クーラー側コントローラー２１０は、集中管理制御装置３００から翌日のスケジュールの転送要求が有るか否かを判定する。クーラー側コントローラー２１０は、集中管理制御装置３００から翌日のスケジュールの転送要求が有る場合、ステップＳ５２へ進む。一方、クーラー側コントローラー２１０は、集中管理制御装置３００から翌日のスケジュールの転送要求が無い場合、ステップＳ５１へ戻る。
【０１４５】
（ステップＳ５２）
クーラー側コントローラー２１０は、集中管理制御装置３００から翌日のスケジュールを受信可能であるか否かを判定する。クーラー側コントローラー２１０は、集中管理制御装置３００から翌日のスケジュールを受信可能である場合、ステップＳ５３へ進む。一方、クーラー側コントローラー２１０は、集中管理制御装置３００から翌日のスケジュールを受信可能でない場合、ステップＳ５５へ進む。
【０１４６】
（ステップＳ５３）
クーラー側コントローラー２１０は、翌日のスケジュールを正常に受信したか否かを判定する。クーラー側コントローラー２１０は、翌日のスケジュールを正常に受信した場合、ステップＳ５４へ進む。一方、クーラー側コントローラー２１０は、翌日のスケジュールを正常に受信しない場合、ステップＳ５５へ進む。
【０１４７】
（ステップＳ５４）
クーラー側コントローラー２１０は、集中管理制御装置３００へ翌日のスケジュールが正常に転送されたことを応答し、処理を終了する。
【０１４８】
（ステップＳ５５）
クーラー側コントローラー２１０は、集中管理制御装置３００へ翌日のスケジュールが正常に転送されなかったことを応答し、ステップＳ５１へ戻る。
【０１４９】
図２７は、本発明の実施の形態１におけるクーラー側コントローラー２１０のスケジュール選択時の動作を説明するフローチャートである。
【０１５０】
（ステップＳ７１）
クーラー側コントローラー２１０は、日付けが変わったか否かを判定する。クーラー側コントローラー２１０は、日付けが変わった場合、ステップＳ７２へ進む。一方、クーラー側コントローラー２１０は、日付けが変わっていない場合、ステップＳ７１へ戻る。
【０１５１】
（ステップＳ７２）
クーラー側コントローラー２１０は、集中管理制御装置３００から受信したスケジュールは当日分であるか否かを判定する。クーラー側コントローラー２１０は、集中管理制御装置３００から受信したスケジュールは当日分である場合、ステップＳ７３へ進む。一方、クーラー側コントローラー２１０は、集中管理制御装置３００から受信したスケジュールは当日分でない場合、ステップＳ７９へ進む。
【０１５２】
（ステップＳ７３）
クーラー側コントローラー２１０は、受信したスケジュールのデータは正常であるか否かを判定する。クーラー側コントローラー２１０は、受信したスケジュールのデータは正常である場合、ステップＳ７４へ進む。一方、クーラー側コントローラー２１０は、受信したスケジュールのデータは正常でない場合、ステップＳ７９へ進む。
【０１５３】
（ステップＳ７４）
クーラー側コントローラー２１０は、受信したスケジュールはベーススケジュールであるか否かを判定する。クーラー側コントローラー２１０は、受信したスケジュールはベーススケジュールである場合、ステップＳ７９へ進む。一方、クーラー側コントローラー２１０は、受信したスケジュールはベーススケジュールでない場合、ステップＳ７５へ進む。
【０１５４】
（ステップＳ７５）
クーラー側コントローラー２１０は、受信したスケジュールに基づいて運転を行う。
【０１５５】
（ステップＳ７６）
クーラー側コントローラー２１０は、受信したスケジュールに基づいた運転中に集中管理制御装置３００からベーススケジュール指示があるか否かを判定する。クーラー側コントローラー２１０は、受信したスケジュールに基づいた運転中に集中管理制御装置３００からベーススケジュール指示がある場合、ステップＳ７９へ進む。一方、クーラー側コントローラー２１０は、受信したスケジュールに基づいた運転中に集中管理制御装置３００からベーススケジュール指示がない場合、ステップＳ７７へ進む。
例えば、クーラー側コントローラー２１０は、受信したスケジュールが低消費電力で運転する運転スケジュールである場合、通常は、その運転スケジュールで運転している。ところが、その運転中に、冷却対象物の周囲環境が変化し、例えば、クーラー２００が備える図示しない温度検知手段による温度検知結果が予め定めた省エネ限界閾値を超えた場合には、一次的に運転スケジュールからベーススケジュールに運転を切り換えるベーススケジュール指示を出す。この動作で、周囲環境が変化した場合であっても冷却対象の品質を保持する。
また、例えば、クーラー側コントローラー２１０は、受信したスケジュールに基づいた運転中に一次的に電源供給が遮断され、その後、電源供給が再開された場合、ベーススケジュール指示を出し、受信したスケジュールに基づいた運転からベーススケジュールに基づいた運転に切り換える。この動作で、一次的に冷却対象の冷却が中断していた場合であっても、冷却を優先するベーススケジュールで運転を再開することで、冷却対象の目標冷却温度へ早く復帰させる。
要するに、クーラー側コントローラー２１０は、受信したスケジュールに基づいた運転中であっても、任意のタイミングでベーススケジュールに切り換えることが可能となっている。
【０１５６】
（ステップＳ７７）
クーラー側コントローラー２１０は、受信したスケジュールに基づいた運転で当日分のスケジュールは終了したか否かを判定する。クーラー側コントローラー２１０は、受信したスケジュールに基づいた運転で当日分のスケジュールは終了した場合、ステップＳ７８へ進む。一方、クーラー側コントローラー２１０は、受信したスケジュールに基づいた運転で当日分のスケジュールは終了しない場合、ステップＳ７６へ戻る。
【０１５７】
（ステップＳ７８）
クーラー側コントローラー２１０は、システム停止指令があるか否かを判定する。クーラー側コントローラー２１０は、システム停止指令がある場合、処理を終了する。一方、クーラー側コントローラー２１０は、システム停止指令がない場合、ステップＳ７１へ戻る。なお、ここでいうシステム停止指令とは、例えば、図２１を用いて説明した制御内容２に含まれる強制停止命令のことである。
【０１５８】
（ステップＳ７９）
クーラー側コントローラー２１０は、ベーススケジュールに基づいて運転を行い、ステップＳ７８へ進む。
【０１５９】
次に、上記で説明した動作の後、実際にクーラー２００が稼働して実運転データを蓄積した場合についてのその実運転データの利用例について図２８を用いて説明する。
【０１６０】
図２８は、本発明の実施の形態１における集中管理制御装置３００の作成スケジュール修正時の動作を説明するフローチャートである。
【０１６１】
（クーラー側コントローラー２１０の動作について）
（ステップＳ９１）
クーラー側コントローラー２１０は、実稼働分の実霜取運転時間を保存する。
【０１６２】
（ステップＳ９２）
クーラー側コントローラー２１０は、実霜取運転時間に対応する日付けデータを保存する。
【０１６３】
（ステップＳ９３）
クーラー側コントローラー２１０は、実霜取運転時間と日付けデータとに基づいて実運転データを作成する。
【０１６４】
（ステップＳ９４）
クーラー側コントローラー２１０は、通信周期に到達したか否かを判定する。クーラー側コントローラー２１０は、通信周期に到達した場合、ステップＳ９５へ進む。一方、クーラー側コントローラー２１０は、通信周期に到達しない場合、ステップＳ９４へ戻る。
【０１６５】
（ステップＳ９５）
クーラー側コントローラー２１０は、集中管理制御装置３００へ実運転データを送信し、処理を終了する。
【０１６６】
（集中管理制御装置３００の動作について）
（ステップＳ１０１）
集中管理制御装置３００は、実運転データを受信したか否かを判定する。集中管理制御装置３００は、実運転データを受信した場合、ステップＳ１０２へ進む。一方、集中管理制御装置３００は、実運転データを受信しない場合、ステップＳ１０１へ戻る。
【０１６７】
（ステップＳ１０２）
集中管理制御装置３００は、実運転データから実霜取運転時間を取得する。
【０１６８】
（ステップＳ１０３）
集中管理制御装置３００は、予め設定した予定霜取運転時間を取得する。
【０１６９】
（ステップＳ１０４）
集中管理制御装置３００は、実霜取運転時間が予定霜取運転時間と比較して短いか否かを判定する。集中管理制御装置３００は、実霜取運転時間が予定霜取運転時間と比較して短い場合、ステップＳ１０５へ進む。一方、集中管理制御装置３００は、実霜取運転時間が予定霜取運転時間と比較して短くない場合、ステップＳ１０６へ進む。
【０１７０】
（ステップＳ１０５）
集中管理制御装置３００は、予定霜取運転周期を長く設定する。
【０１７１】
（ステップＳ１０６）
集中管理制御装置３００は、実霜取運転時間が予定霜取運転時間と比較して長いか否かを判定する。集中管理制御装置３００は、実霜取運転時間が予定霜取運転時間と比較して長い場合、ステップＳ１０７へ進む。一方、集中管理制御装置３００は、実霜取運転時間が予定霜取運転時間と比較して長くない場合、ステップＳ１０８へ進む。
【０１７２】
（ステップＳ１０７）
集中管理制御装置３００は、予定霜取運転周期を短く設定する。
【０１７３】
（ステップＳ１０８）
集中管理制御装置３００は、実運転データから日付けデータを取得する。
【０１７４】
（ステップＳ１０９）
集中管理制御装置３００は、設定内容に基づいて日付けデータの次の日の運転スケジュールを作成し、処理を終了する。
【０１７５】
つまり、クーラー側コントローラー２１０は、実稼働分の実霜取運転時間と、その実霜取運転時間の日付けデータとの組から形成される実運転データを保持し、その実運転データを集中管理制御装置３００へ送信する。
一方、集中管理制御装置３００は、実運転データを受信し、その実運転データに基づいて、日付けデータの次の日の運転スケジュールを作成する。
クーラー側コントローラー２１０及び集中管理制御装置３００の動作で、予定していた運転スケジュールを実運転データに基づいて補正することができる。
【０１７６】
次に、上記で説明した各種動作の実行に使用される各種データを作成する動作について、図２９及び図３０を用いて説明する。
【０１７７】
図２９は、本発明の実施の形態１におけるクーラー側設定手段２１４とクーラー側表示手段２１５との間で実行される各種データ処理の一例を示す図である。
クーラー側設定手段２１４での設定内容がクーラー側制御手段２１１に供給される。クーラー側制御手段２１１で処理の処理が実行され、その実行結果はクーラー側表示手段２１５に供給される。クーラー側表示手段２１５は供給された実行結果に基づいた表示を行う。
【０１７８】
次に、クーラー側制御手段２１１の詳細について説明する。クーラー側制御手段２１１は、各種設定入力処理部２３１、各種設定パラメータ群紐付け処理部２３２、及び各種設定出力処理部２３３を備える。
【０１７９】
各種設定入力処理部２３１は、クーラー側設定手段２１４で取得した各種設定情報を分類分けする。例えば、各種設定入力処理部２３１は、各種設定情報を、識別情報、運転内容、ベーススケジュール、及びベーススケジュール設定パターンデータ群に分類し、分類結果を各種設定パラメータ群紐付け処理部２３２へ供給する。
【０１８０】
各種設定パラメータ群紐付け処理部２３２は、各種設定入力処理部２３１から供給された分類結果に基づいて、各種設定情報を紐付けする。
各種設定パラメータ群紐付け処理部２３２は、識別情報集合、運転内容集合、ベーススケジュール集合、及びベーススケジュール設定パターンデータ群集合を備える。
識別情報集合は、集中管理制御装置３００との間で、実際に各種信号を送受信する際に利用される識別子である。例えば、識別子として、＃９９、＃１〜＃４が存在する。
運転内容集合は、冷凍システム１の運転内容識別子であり、例えば、通常冷却、セットバック、強制停止、及び霜取の運転内容識別子が存在する。
ベーススケジュール集合は、ベーススケジュール設定パターンデータ群に存在する複数のベーススケジュールの中から該当するベーススケジュールを一意に定めるベーススケジュール識別子である。
ベーススケジュール設定パターンデータ群集合は、複数の異なるベーススケジュールが定義されており、ベーススケジュール識別子で参照可能である。
【０１８１】
例えば、＃９９が予約番号として割り当てられ、他の番号＃１〜＃４が予約番号以外に対応する処理が割り当てられている。具体的には、＃９９はベーススケジュール１と紐付けされる。ベーススケジュール１は、ベーススケジュール設定パターンデータ群のうち、ベーススケジュール１と紐付けられる。
また、例えば、＃１は通常冷却と紐付けされ、＃２はセットバックと紐付けされ、＃３は強制停止と紐付けされ、＃４は霜取と紐付けされる。
【０１８２】
上記の処理で、識別情報と、ベーススケジュールと、ベーススケジュール設定パターンデータ群とが紐付けされ、識別情報と、運転内容とも紐付けされる。
次に、紐付けされた結果を各種設定出力処理部２３３へ供給する。
各種設定出力処理部２３３は、紐付けされた結果に基づいて、クーラー側表示手段２１５へ表示される表示内容を形成する。各種設定出力処理部２３３は、例えば、表示内容ごとに複数の画像レイヤーを構成し、その複数の画像レイヤーデータをクーラー側表示手段２１５へ供給する。
【０１８３】
クーラー側表示手段２１５は、供給された複数の画像レイヤーデータを統合して液晶ディスプレイ等に表示する。
【０１８４】
図３０は、本発明の実施の形態１における熱源機側設定手段１１４と熱源機側表示手段１１５との間で実行される各種データ処理の一例を示す図である。図３０においては、設定手段が熱源機側設定手段１１４に変更され、表示手段が熱源機側表示手段１１５に変更され、制御手段が熱源機側制御手段１１１に変更されてはいるが、同一の機能構成で動作する。
【０１８５】
次に、熱源機側制御手段１１１の詳細について説明する。熱源機側制御手段１１１は、各種設定入力処理部１３１、各種設定パラメータ群紐付け処理部１３２、及び各種設定出力処理部１３３を備える。
【０１８６】
各種設定入力処理部１３１は、熱源機側設定手段１１４で取得した各種設定情報を分類分けする。例えば、各種設定入力処理部１３１は、各種設定情報を、識別情報、運転内容、ベーススケジュール、及びベーススケジュール設定パターンデータ群に分類し、分類結果を各種設定パラメータ群紐付け処理部１３２へ供給する。
【０１８７】
各種設定パラメータ群紐付け処理部１３２は、各種設定入力処理部１３１から供給された分類結果に基づいて、各種設定情報を紐付けする。
各種設定パラメータ群紐付け処理部１３２は、識別情報集合、運転内容集合、ベーススケジュール集合、及びベーススケジュール設定パターンデータ群集合を備える。
識別情報集合は、集中管理制御装置３００との間で、実際に各種信号を送受信する際に利用される識別子である。例えば、識別子として、＃９９、＃１〜＃４が存在する。
運転内容集合は、冷凍システム１の運転内容識別子であり、例えば、通常冷却、セットバック、強制停止、及び霜取の運転内容識別子が存在する。
ベーススケジュール集合は、ベーススケジュール設定パターンデータ群に存在する複数のベーススケジュールの中から該当するベーススケジュールを一意に定めるベーススケジュール識別子である。
ベーススケジュール設定パターンデータ群集合は、複数の異なるベーススケジュールが定義されており、ベーススケジュール識別子で参照可能である。
【０１８８】
例えば、＃９９が予約番号として割り当てられ、他の番号＃１〜＃４が予約番号以外に対応する処理が割り当てられる。具体的には、＃９９はベーススケジュール１と紐付けされる。ベーススケジュール１は、ベーススケジュール設定パターンデータ群のうち、ベーススケジュール１と紐付けられる。
また、例えば、＃１は通常冷却と紐付けされ、＃２はセットバックと紐付けされ、＃３は強制停止と紐付けされ、＃４は霜取と紐付けされる。
【０１８９】
上記の処理で、識別情報と、ベーススケジュールと、ベーススケジュール設定パターンデータ群とが紐付けされ、識別情報と、運転内容とも紐付けされる。
次に、紐付けされた結果を各種設定出力処理部１３３へ供給する。
各種設定出力処理部１３３は、紐付けされた結果に基づいて、熱源機側表示手段１１５へ表示される表示内容を形成する。各種設定出力処理部１３３は、例えば、表示内容ごとに複数の画像レイヤーを構成し、その複数の画像レイヤーデータを熱源機側表示手段１１５へ供給する。
【０１９０】
熱源機側表示手段１１５は、供給された複数の画像レイヤーデータを統合して液晶ディスプレイ等に表示する。
【０１９１】
以上のことから、制御指令を受信した場合、運転スケジュールを変更して電力消費を抑制し、制御指令を受信しない場合、予め設定された運転スケジュールで冷却対象を冷却する。この動作をすることで、制御指令を受信しない場合であっても冷却対象の品質を保持しつつ、運用開始後であっても運転スケジュールの設定を容易に変更して電力消費の増大を抑制することができる。したがって、冷却対象の品質を保持しつつ、全体として電力消費の増大を抑制できる。
【０１９２】
以上のように、本実施の形態１においては、集中管理制御装置３００と、１又は複数の熱源機１００と、１又は複数のクーラー２００とが互いに通信する冷凍システム１であって、クーラー２００を制御するコントローラーを備え、コントローラーは、予め設定された使用条件に基づいてクーラー２００を運転するベーススケジュールを予め保持し、その使用条件と比べて低消費電力でクーラー２００を運転する運転スケジュールを集中管理制御装置３００から取得した場合、運転スケジュールに基づいてクーラー２００を運転し、運転スケジュールを集中管理制御装置３００から取得しなかった場合、ベーススケジュールに基づいてクーラー２００を運転する。
【０１９３】
この構成で、制御指令を受信しない場合であっても冷却対象の品質を保持しつつ、運用開始後であっても運転スケジュールの設定を容易に変更して電力消費の増大を抑制することができる。したがって、冷却対象の品質を保持しつつ、全体として電力消費の増大を抑制できる。
【符号の説明】
【０１９４】
１  冷凍システム、１００、１００Ａ、１００Ｂ  熱源機、１０５、１０５Ａ、１０５Ｂ  中継装置、１１０、１１０Ａ、１１０Ｂ  熱源機側コントローラー、１１１  熱源機側制御手段、１１２  熱源機側通信手段、１１３  熱源機側記憶手段、１１４  熱源機側設定手段、１１５  熱源機側表示手段、１１６  時計手段、１２３  運転スケジュール記憶部、１２４  ベーススケジュール記憶部、１２５  実運転データ記憶部、１３１、２３１  各種設定入力処理部、１３２、２３２  各種設定パラメータ群紐付け処理部、１３３、２３３  各種設定出力処理部、２００、２００Ａ、２００Ｂ  クーラー、２１０、２１０Ａ、２１０Ｂ  クーラー側コントローラー、２１１  クーラー側制御手段、２１２  クーラー側通信手段、２１３  クーラー側記憶手段、２１４  クーラー側設定手段、２１５  クーラー側表示手段、２１６  時計手段、２２３  運転スケジュール記憶部、２２４  ベーススケジュール記憶部、２２５  実運転データ記憶部、３００  集中管理制御装置、３１０  集中管理制御装置側コントローラー、３１１  集中管理制御装置側制御手段、３１２  集中管理制御装置側通信手段、３１３  集中管理制御装置側記憶手段、３１４  集中管理制御装置側設定手段、３１５  集中管理制御装置側表示手段、３１６  時計手段、３２３  運転スケジュール記憶部、３２５  運転スケジュール送信先記憶部、３２６  保留記憶部、４００、４００Ａ、４００Ｂ  リモートコントローラー、５００  第１伝送線、６００、６００Ａ、６００Ｂ  第２伝送線、７００、７００Ａ、７００Ｂ  冷媒配管、７２１  ガス接続配管、７２２  液接続配管、８０１  冷媒回路、８３１  室内熱交換器、８３２  室内ファン、８３３  室内ファン駆動部、８３４  ヒーター、８４１  絞り装置、８４２  圧縮機、８４３  四方弁、８４４  室外熱交換器、８４５  室外ファン、８４６  室外ファン駆動部、９０１  中断モード、９０２  再開モード。
【図１】
2014081109.tif 000003
【図２】
2014081109.tif 000004
【図３】
2014081109.tif 000005
【図４】
2014081109.tif 000006
【図５】
2014081109.tif 000007
【図６】
2014081109.tif 000008
【図７】
2014081109.tif 000009
【図８】
2014081109.tif 000010
【図９】
2014081109.tif 000011
【図１０】
2014081109.tif 000012
【図１１】
2014081109.tif 000013
【図１２】
2014081109.tif 000014
【図１３】
2014081109.tif 000015
【図１４】
2014081109.tif 000016
【図１５】
2014081109.tif 000017
【図１６】
2014081109.tif 000018
【図１７】
2014081109.tif 000019
【図１８】
2014081109.tif 000020
【図１９】
2014081109.tif 000021
【図２０】
2014081109.tif 000022
【図２１】
2014081109.tif 000023
【図２２】
2014081109.tif 000024
【図２３】
2014081109.tif 000025
【図２４】
2014081109.tif 000026
【図２５】
2014081109.tif 000027
【図２６】
2014081109.tif 000028
【図２７】
2014081109.tif 000029
【図２８】
2014081109.tif 000030
【図２９】
2014081109.tif 000031
【図３０】
2014081109.tif 000032